(57)【要約】  本出願の実施例は情報伝送方法、端末装置とネットワーク装置を開示する。該方法は、端末装置は、ネットワーク装置から送信された第一の同期信号ブロックと第一の物理ダウンリンク制御チャネルを第一のタイムスロット又は第一のミニタイムスロットにおいて受信し、該第一のタイムスロット又は第一のミニタイムスロットがＮ個のシンボルを含み、該第一の同期信号ブロックが該第一のタイムスロット又は該第一のミニタイムスロットにおける連続するＭ個のシンボルを占有し、該第一の同期信号ブロックが同期信号と物理ブロードキャストチャネルを含み、Ｍ、Ｎがいずれも正整数であり、且つＭ≦Ｎであることを含む。本出願の実施例による方法、端末装置とネットワーク装置は、ＮＲ高周波数帯域マルチビーム伝送要件を満たすとともに、同期信号、ブロードキャストチャネルとダウンリンク制御チャネルの効率的な多重化を実現し、制御シグナリングオーバーヘッドと端末の複雑さを低減させ、リソース利用率と通信システムの柔軟性を向上させることができる。
2020515178.tif 000002
【特許請求の範囲】
【請求項１】
情報伝送方法であって、
端末装置は、ネットワーク装置から送信された第一の同期信号ブロックと第一の物理ダウンリンク制御チャネルを第一のタイムスロット又は第一のミニタイムスロットにおいて受信することを含み、前記第一のタイムスロット又は第一のミニタイムスロットがＮ個のシンボルを含み、前記第一の同期信号ブロックが前記第一のタイムスロット又は前記第一のミニタイムスロットにおける連続するＭ個のシンボルを占有し、前記第一の同期信号ブロックが同期信号と物理ブロードキャストチャネルを含み、Ｍ、Ｎがいずれも正整数であり、且つＭ≦Ｎである、前記情報伝送方法。
【請求項２】
前記第一の物理ダウンリンク制御チャネルに占有されたシンボルは前記第一の同期信号ブロックに占有されたシンボルと少なくとも一部重なり、前記第一の物理ダウンリンク制御チャネルに占有された周波数領域リソースは前記第一の同期信号ブロックに占有された周波数領域リソースと重ならないことを特徴とする
請求項１に記載の方法。
【請求項３】
前記第一の同期信号ブロックは前記第一のタイムスロット又は前記第一のミニタイムスロットの１番目〜Ｍ番目のシンボルを占有することを特徴とする
請求項２に記載の方法。
【請求項４】
前記第一の物理ダウンリンク制御チャネルは、前記第一のタイムスロット又は前記第一のミニタイムスロットの１番目〜Ｐ番目のシンボルを占有し、前記第一の物理ダウンリンク制御チャネルは、周波数領域において前記第一の同期信号ブロック帯域幅の少なくとも一側に位置し、Ｐが正整数であり、且つＰ≦Ｍであることを特徴とする
請求項３に記載の方法。
【請求項５】
前記第一の物理ダウンリンク制御チャネルに占有されたシンボルは、前記第一の同期信号ブロックに占有されたシンボルと重ならないことを特徴とする
請求項１に記載の方法。
【請求項６】
前記第一の同期信号ブロックは、前記第一のタイムスロット又は前記第一のミニタイムスロットのＮ−Ｍ＋１番目〜Ｎ番目のシンボルを占有し、前記第一の物理ダウンリンク制御チャネルは、前記第一のタイムスロット又は前記第一のミニタイムスロットの１番目〜Ｐ番目のシンボルを占有し、Ｐが正整数であり、且つＰ≦（Ｎ−Ｍ）であることを特徴とする
請求項５に記載の方法。
【請求項７】
前記方法はさらに、
前記端末装置は、前記ネットワーク装置から送信された第二の物理ダウンリンク制御チャネルを第二のタイムスロット又は第二のミニタイムスロットにおいて受信することを含み、前記第二のタイムスロット又は前記第二のミニタイムスロットが同期信号ブロックを含まなく、前記第二のタイムスロット又は前記第二のミニタイムスロットにおける前記第二の物理ダウンリンク制御チャネルの位置が前記第一のタイムスロット又は前記第一のミニタイムスロットにおける前記第一の物理ダウンリンク制御チャネルの位置と同じであることを特徴とする
請求項１−６のいずれか一項に記載の方法。
【請求項８】
前記方法はさらに、
前記端末装置は、前記ネットワーク装置から送信された第二の物理ダウンリンク制御チャネルを第二のタイムスロット又は第二のミニタイムスロットにおいて受信することを含み、前記第二のタイムスロット又は前記第二のミニタイムスロットが同期信号ブロックを含まなく、前記第二のタイムスロット又は前記第二のミニタイムスロットにおける前記第二の物理ダウンリンク制御チャネルの位置が前記第一のタイムスロット又は前記第一のミニタイムスロットにおける前記第一の物理ダウンリンク制御チャネルの位置と異なることを含むことを特徴とする
請求項１−６のいずれか一項に記載の方法。
【請求項９】
前記方法はさらに、
前記端末装置は第一の指示情報と第二の指示情報を受信し、前記第一の指示情報が前記第一のタイムスロット又は前記第一のミニタイムスロットにおける前記第一の物理ダウンリンク制御チャネルの位置を示すことに用いられ、前記第二の指示情報が前記第二のタイムスロット又は前記第二のミニタイムスロットにおける前記第二の物理ダウンリンク制御チャネルの位置を示すことに用いられることと、
前記端末装置は、前記第一の指示情報と第二の指示情報に基づき、前記第一のタイムスロット又は前記第一のミニタイムスロットにおける前記第一の物理ダウンリンク制御チャネルの位置と前記第二のタイムスロット又は前記第二のミニタイムスロットにおける前記第二の物理ダウンリンク制御チャネルの位置とをそれぞれ確定することとを含むことを特徴とする
請求項８に記載の方法。
【請求項１０】
前記第一の指示情報及び／又は前記第二の指示情報は物理ブロードキャストチャネル又はシステムメッセージにより搬送されることを特徴とする
請求項９に記載の方法。
【請求項１１】
前記第一の物理ダウンリンク制御チャネルは、前記第一のタイムスロット又は前記第一のミニタイムスロットにおける物理ダウンリンクデータチャネル、前記第一のタイムスロット又は前記第一のミニタイムスロットの後の少なくと一つのタイムスロット又はミニタイムスロットにおける物理ダウンリンクデータチャネル、及び前記第一のタイムスロット又は前記第一のミニタイムスロットの前の少なくとも一つのタイムスロット又はミニタイムスロットにおける物理ダウンリンクデータチャネルのうちの少なくと一つをスケジューリングすることに用いられることを特徴とする
請求項１−１０のいずれか一項に記載の方法。
【請求項１２】
前記第一の物理ダウンリンク制御チャネルにより搬送されたダウンリンク制御情報は、前記第一の物理ダウンリンク制御チャネルによってスケジューリングされた物理ダウンリンクデータチャネルが前記第一のタイムスロット又は前記第一のミニタイムスロットの前の少なくとも一つのタイムスロット又はミニタイムスロットに位置することを示すことに用いられ、前記方法はさらに、
前記端末装置は、第三の指示情報を受信し、前記第三の指示情報が前記少なくとも一つのタイムスロット又はミニタイムスロットにおける、前記第一の物理ダウンリンク制御チャネルによってスケジューリングされることができる物理ダウンリンクデータチャネルの位置を示すことに用いられることと、
前記端末装置は、前記指示情報に基づき、前記少なくとも一つのタイムスロット又はミニタイムスロットにおける、前記第一の物理ダウンリンク制御チャネルによってスケジューリングされることができる物理ダウンリンクデータチャネルにより搬送されたデータをキャッシュすることと、
前記端末装置は、前記第一の物理ダウンリンク制御チャネルに基づき、前記端末装置によってキャッシュされた、前記少なくとも一つのタイムスロット又はミニタイムスロットにおける、前記第一の物理ダウンリンク制御チャネルによってスケジューリングされることができる物理ダウンリンクデータチャネルにより搬送されたデータから、前記第一の物理ダウンリンク制御チャネルに対応するデータを取得することとを含むことを特徴とする
請求項１１に記載の方法。
【請求項１３】
前記第三の指示情報は無線リソース制御（ＲＲＣ）シグナリングにより搬送されることを特徴とする
請求項１２に記載の方法。
【請求項１４】
前記方法はさらに、
前記端末装置は、前記ネットワーク装置から送信された第二の同期信号ブロックと第三の物理ダウンリンク制御チャネルを第三のタイムスロット又は第三のミニタイムスロットにおいて受信し、前記第二の同期信号ブロックが同期信号と物理ブロードキャストチャネルを含み、前記第一の同期信号ブロックが前記第二の同期信号ブロックと異なることを含むことを特徴とする
請求項１−１３のいずれか一項に記載の方法。
【請求項１５】
前記第一のタイムスロット又は前記第一のミニタイムスロットと、前記第三のタイムスロット又は前記第三のミニタイムスロットとは、前記ネットワーク装置により連続的にスケジューリングされることを特徴とする
請求項１４に記載の方法。
【請求項１６】
情報伝送方法であって、
ネットワーク装置は、第一のタイムスロット又は第一のミニタイムスロットにおいて端末装置へ第一の同期信号ブロックと第一の物理ダウンリンク制御チャネルを送信し、前記第一のタイムスロット又は第一のミニタイムスロットがＮ個のシンボルを含み、前記第一の同期信号ブロックが前記第一のタイムスロット又は第一のミニタイムスロットにおける連続するＭ個のシンボルを占有し、前記第一の同期信号ブロックが同期信号とブロードキャストチャネルを含み、Ｍ、Ｎがいずれも正整数であり、且つＭ≦Ｎであることを含む、前記情報伝送方法。
【請求項１７】
前記第一の物理ダウンリンク制御チャネルに占有されたシンボルは前記第一の同期信号ブロックに占有されたシンボルと少なくとも一部重なり、前記第一の物理ダウンリンク制御チャネルに占有された周波数領域リソースは前記第一の同期信号ブロックに占有された周波数領域リソースと重ならないことを特徴とする
請求項１６に記載の方法。
【請求項１８】
前記第一の同期信号ブロックは前記第一のタイムスロット又は前記第一のミニタイムスロットの１番目〜Ｍ番目のシンボルを占有することを特徴とする
請求項１７に記載の方法。
【請求項１９】
前記第一の物理ダウンリンク制御チャネルは、前記第一のタイムスロット又は前記第一のミニタイムスロットの１番目〜Ｐ番目のシンボルを占有し、前記第一の物理ダウンリンク制御チャネルは、周波数領域において前記第一の同期信号ブロック帯域幅の少なくとも一側に位置し、Ｐが正整数であり、且つＰ≦Ｍであることを特徴とする
請求項１８に記載の方法。
【請求項２０】
前記第一の物理ダウンリンク制御チャネルに占有されたシンボルは、前記第一の同期信号ブロックに占有されたシンボルと重ならないことを特徴とする
請求項１６に記載の方法。
【請求項２１】
前記第一の同期信号ブロックは、前記第一のタイムスロット又は前記第一のミニタイムスロットのＮ−Ｍ＋１番目〜Ｎ番目のシンボルを占有し、前記第一の物理ダウンリンク制御チャネルは、前記第一のタイムスロット又は前記第一のミニタイムスロットの１番目〜Ｐ番目のシンボルを占有し、Ｐが正整数であり、且つＰ≦（Ｎ−Ｍ）であることを特徴とする
請求項２０に記載の方法。
【請求項２２】
前記方法はさらに、
前記ネットワーク装置は、第二のタイムスロット又は第二のミニタイムスロットにおいて前記端末装置へ第二の物理ダウンリンク制御チャネルを送信し、前記第二のタイムスロット又は前記第二のミニタイムスロットが同期信号ブロックを含まなく、前記第二のタイムスロット又は前記第二のミニタイムスロットにおける前記第二の物理ダウンリンク制御チャネルの位置が前記第一のタイムスロット又は前記第一のミニタイムスロットにおける前記第一の物理ダウンリンク制御チャネルの位置と同じであることを含むことを特徴とする
請求項１６−２１のいずれか一項に記載の方法。
【請求項２３】
前記方法はさらに、
前記ネットワーク装置は、第二のタイムスロット又は第二のミニタイムスロットにおいて前記端末装置へ第二の物理ダウンリンク制御チャネルを送信し、前記第二のタイムスロット又は前記第二のミニタイムスロットが同期信号ブロックを含まなく、前記第二のタイムスロット又は前記第二のミニタイムスロットにおける前記第二の物理ダウンリンク制御チャネルの位置が前記第一のタイムスロット又は前記第一のミニタイムスロットにおける前記第一の物理ダウンリンク制御チャネルの位置と異なることを含むことを特徴とする
請求項１６−２１のいずれか一項に記載の方法。
【請求項２４】
前記方法はさらに、
前記ネットワーク装置は、前記端末装置へ第一の指示情報と第二の指示情報を送信し、前記第一の指示情報が前記第一のタイムスロット又は前記第一のミニタイムスロットにおける前記第一の物理ダウンリンク制御チャネルの位置を示すことに用いられ、前記第二の指示情報が前記第二のタイムスロット又は前記第二のミニタイムスロットにおける前記第二の物理ダウンリンク制御チャネルの位置を示すことに用いられることを含むことを特徴とする請求項２３に記載の方法。
【請求項２５】
前記第一の指示情報及び／又は前記第二の指示情報は物理ブロードキャストチャネル又はシステムメッセージにより搬送されることを特徴とする
請求項２４に記載の方法。
【請求項２６】
前記第一の物理ダウンリンク制御チャネルは、前記第一のタイムスロット又は前記第一のミニタイムスロットにおける物理ダウンリンクデータチャネル、前記第一のタイムスロット又は前記第一のミニタイムスロットの後の少なくと一つのタイムスロット又はミニタイムスロットにおける物理ダウンリンクデータチャネル、及び前記第一のタイムスロット又は前記第一のミニタイムスロットの前の少なくとも一つのタイムスロット又はミニタイムスロットにおける物理ダウンリンクデータチャネルのうちの少なくと一つをスケジューリングすることに用いられることを特徴とする
請求項１６−２５のいずれか一項に記載の方法。
【請求項２７】
前記物理ダウンリンク制御チャネルにより搬送されたダウンリンク制御情報は、前記第一の物理ダウンリンク制御チャネルによってスケジューリングされた物理ダウンリンクデータチャネルが前記第一のタイムスロット又は前記第一のミニタイムスロットの前の少なくとも一つのタイムスロット又はミニタイムスロットに位置することを示すことに用いられ、前記方法はさらに、
前記ネットワーク装置は、前記端末装置へ第三の指示情報を送信し、前記第三の指示情報が前記少なくとも一つのタイムスロット又はミニタイムスロットにおける、前記第一の物理ダウンリンク制御チャネルによってスケジューリングされることができる物理ダウンリンクデータチャネルの位置を示すことに用いられることを含むことを特徴とする
請求項２６に記載の方法。
【請求項２８】
前記第三の指示情報は無線リソース制御（ＲＲＣ）シグナリングにより搬送されることを特徴とする
請求項２７に記載の方法。
【請求項２９】
前記方法はさらに、
前記ネットワーク装置は、第三のタイムスロット又は第三のミニタイムスロットにおいて前記端末装置へ第二の同期信号ブロックと第三の物理ダウンリンク制御チャネルを送信し、前記第二の同期信号ブロックが同期信号と物理ブロードキャストチャネルを含み、前記第一の同期信号ブロックが前記第二の同期信号ブロックと異なることを含むことを特徴とする
請求項１６−２８のいずれか一項に記載の方法。
【請求項３０】
前記第一のタイムスロット又は前記第一のミニタイムスロットと、前記第三のタイムスロット又は前記第三のミニタイムスロットとは、前記ネットワーク装置により連続的にスケジューリングされることを特徴とする
請求項２９に記載の方法。
【請求項３１】
情報を伝送するための端末装置であって、
ネットワーク装置から送信された第一の同期信号ブロックと第一の物理ダウンリンク制御チャネルを第一のタイムスロット又は第一のミニタイムスロットにおいて受信するように構成され、前記第一のタイムスロット又は第一のミニタイムスロットがＮ個のシンボルを含み、前記第一の同期信号ブロックが前記第一のタイムスロット又は前記第一のミニタイムスロットにおける連続するＭ個のシンボルを占有し、前記第一の同期信号ブロックが同期信号と物理ブロードキャストチャネルを含み、Ｍ、Ｎがいずれも正整数であり、且つＭ≦Ｎである受信ユニットを備える、前記端末装置。
【請求項３２】
前記第一の物理ダウンリンク制御チャネルに占有されたシンボルは前記第一の同期信号ブロックに占有されたシンボルと少なくとも一部重なり、前記第一の物理ダウンリンク制御チャネルに占有された周波数領域リソースは前記第一の同期信号ブロックに占有された周波数領域リソースと重ならないことを特徴とする
請求項３１に記載の端末装置。
【請求項３３】
前記第一の同期信号ブロックは前記第一のタイムスロット又は前記第一のミニタイムスロットの１番目〜Ｍ番目のシンボルを占有することを特徴とする
請求項３２に記載の端末装置。
【請求項３４】
前記第一の物理ダウンリンク制御チャネルは、前記第一のタイムスロット又は前記第一のミニタイムスロットの１番目〜Ｐ番目のシンボルを占有し、前記第一の物理ダウンリンク制御チャネルは、周波数領域において前記第一の同期信号ブロック帯域幅の少なくとも一側に位置し、Ｐが正整数であり、且つＰ≦Ｍであることを特徴とする
請求項３３に記載の端末装置。
【請求項３５】
前記第一の物理ダウンリンク制御チャネルに占有されたシンボルは、前記第一の同期信号ブロックに占有されたシンボルと重ならないことを特徴とする
請求項３１に記載の端末装置。
【請求項３６】
前記第一の同期信号ブロックは、前記第一のタイムスロット又は前記第一のミニタイムスロットのＮ−Ｍ＋１番目〜Ｎ番目のシンボルを占有し、前記第一の物理ダウンリンク制御チャネルは、前記第一のタイムスロット又は前記第一のミニタイムスロットの１番目〜Ｐ番目のシンボルを占有し、Ｐが正整数であり、且つＰ≦（Ｎ−Ｍ）であることを特徴とする
請求項３５に記載の端末装置。
【請求項３７】
前記受信ユニットはさらに、
ネットワーク装置から送信された第二の物理ダウンリンク制御チャネルを第二のタイムスロット又は第二のミニタイムスロットにおいて受信するように構成され、前記第二のタイムスロット又は前記第二のミニタイムスロットが同期信号ブロックを含まなく、前記第二のタイムスロット又は前記第二のミニタイムスロットにおける前記第二の物理ダウンリンク制御チャネルの位置が前記第一のタイムスロット又は前記第一のミニタイムスロットにおける前記第一の物理ダウンリンク制御チャネルの位置と同じであることを特徴とする
請求項３１−３６のいずれか一項に記載の端末装置。
【請求項３８】
前記受信ユニットはさらに、
ネットワーク装置から送信された第二の物理ダウンリンク制御チャネルを第二のタイムスロット又は第二のミニタイムスロットにおいて受信するように構成され、前記第二のタイムスロット又は前記第二のミニタイムスロットが同期信号ブロックを含まなく、前記第二のタイムスロット又は前記第二のミニタイムスロットにおける前記第二の物理ダウンリンク制御チャネルの位置が前記第一のタイムスロット又は前記第一のミニタイムスロットにおける前記第一の物理ダウンリンク制御チャネルの位置と異なることを特徴とする
請求項３１−３６のいずれか一項に記載の端末装置。
【請求項３９】
前記受信ユニットはさらに、
第一の指示情報と第二の指示情報を受信するように構成され、前記第一の指示情報が前記第一のタイムスロット又は前記第一のミニタイムスロットにおける前記第一の物理ダウンリンク制御チャネルの位置を示すことに用いられ、前記第二の指示情報が前記第二のタイムスロット又は前記第二のミニタイムスロットにおける前記第二の物理ダウンリンク制御チャネルの位置を示すことに用いられ、
前記端末装置はさらに、
前記第一の指示情報と第二の指示情報に基づき、前記第一のタイムスロット又は前記第一のミニタイムスロットにおける前記第一の物理ダウンリンク制御チャネルの位置と前記第二のタイムスロット又は前記第二のミニタイムスロットにおける前記第二の物理ダウンリンク制御チャネルの位置とをそれぞれ確定するように構成される確定ユニットを備えることを特徴とする
請求項３８に記載の端末装置。
【請求項４０】
前記第一の指示情報及び／又は前記第二の指示情報は物理ブロードキャストチャネル又はシステムメッセージにより搬送されることを特徴とする
請求項３９に記載の端末装置。
【請求項４１】
前記第一の物理ダウンリンク制御チャネルは、前記第一のタイムスロット又は前記第一のミニタイムスロットにおける物理ダウンリンクデータチャネル、前記第一のタイムスロット又は前記第一のミニタイムスロットの後の少なくと一つのタイムスロット又はミニタイムスロットにおける物理ダウンリンクデータチャネル、及び前記第一のタイムスロット又は前記第一のミニタイムスロットの前の少なくとも一つのタイムスロット又はミニタイムスロットにおける物理ダウンリンクデータチャネルのうちの少なくと一つをスケジューリングすることに用いられることを特徴とする
請求項３１−４０のいずれか一項に記載の端末装置。
【請求項４２】
前記第一の物理ダウンリンク制御チャネルにより搬送されたダウンリンク制御情報は、前記第一の物理ダウンリンク制御チャネルによってスケジューリングされた物理ダウンリンクデータチャネルが前記第一のタイムスロット又は前記第一のミニタイムスロットの前の少なくとも一つのタイムスロット又はミニタイムスロットに位置することを示すことに用いられ、前記受信ユニットはさらに、
第三の指示情報を受信するように構成され、前記第三の指示情報が前記少なくとも一つのタイムスロット又はミニタイムスロットにおける、前記第一の物理ダウンリンク制御チャネルによってスケジューリングされることができる物理ダウンリンクデータチャネルの位置を示すことに用いられ、
前記端末装置はさらに、
前記指示情報に基づき、前記少なくとも一つのタイムスロット又はミニタイムスロットにおける、前記第一の物理ダウンリンク制御チャネルによってスケジューリングされることができる物理ダウンリンクデータチャネルにより搬送されたデータをキャッシュするように構成されるキャッシュユニットと、
前記第一の物理ダウンリンク制御チャネルに基づき、前記端末装置によってキャッシュされた、前記少なくとも一つのタイムスロット又はミニタイムスロットにおける、前記第一の物理ダウンリンク制御チャネルによってスケジューリングされることができる物理ダウンリンクデータチャネルにより搬送されたデータから、前記第一の物理ダウンリンク制御チャネルに対応するデータを取得するように構成される取得ユニットとを備えることを特徴とする
請求項４１に記載の端末装置。
【請求項４３】
前記第三の指示情報は無線リソース制御（ＲＲＣ）シグナリングにより搬送されることを特徴とする
請求項４２に記載の端末装置。
【請求項４４】
前記受信ユニットはさらに、
前記ネットワーク装置から送信された第二の同期信号ブロックと第三の物理ダウンリンク制御チャネルを第三のタイムスロット又は第三のミニタイムスロットにおいて受信するように構成され、前記第二の同期信号ブロックが同期信号と物理ブロードキャストチャネルを含み、前記第一の同期信号ブロックが前記第二の同期信号ブロックと異なることを特徴とする
請求項３１−４３のいずれか一項に記載の端末装置。
【請求項４５】
前記第一のタイムスロット又は前記第一のミニタイムスロットと、前記第三のタイムスロット又は前記第三のミニタイムスロットとは、前記ネットワーク装置により連続的にスケジューリングされることを特徴とする
請求項４４に記載の端末装置。
【請求項４６】
情報を伝送するためのネットワーク装置であって、
第一のタイムスロット又は第一のミニタイムスロットにおいて端末装置へ第一の同期信号ブロックと第一の物理ダウンリンク制御チャネルを送信するように構成され、前記第一のタイムスロット又は第一のミニタイムスロットがＮ個のシンボルを含み、前記第一の同期信号ブロックが前記第一のタイムスロット又は第一のミニタイムスロットにおける連続するＭ個のシンボルを占有し、前記第一の同期信号ブロックが同期信号とブロードキャストチャネルを含み、Ｍ、Ｎがいずれも正整数であり、且つＭ≦Ｎである送信ユニットを備える、前記ネットワーク装置。
【請求項４７】
前記第一の物理ダウンリンク制御チャネルに占有されたシンボルは前記第一の同期信号ブロックに占有されたシンボルと少なくとも一部重なり、前記第一の物理ダウンリンク制御チャネルに占有された周波数領域リソースは前記第一の同期信号ブロックに占有された周波数領域リソースと重ならないことを特徴とする
請求項４６に記載のネットワーク装置。
【請求項４８】
前記第一の同期信号ブロックは前記第一のタイムスロット又は前記第一のミニタイムスロットの１番目〜Ｍ番目のシンボルを占有することを特徴とする
請求項４７に記載のネットワーク装置。
【請求項４９】
前記第一の物理ダウンリンク制御チャネルは、前記第一のタイムスロット又は前記第一のミニタイムスロットの１番目〜Ｐ番目のシンボルを占有し、前記第一の物理ダウンリンク制御チャネルは、周波数領域において前記第一の同期信号ブロック帯域幅の少なくとも一側に位置し、Ｐが正整数であり、且つＰ≦Ｍであることを特徴とする
請求項４８に記載のネットワーク装置。
【請求項５０】
前記第一の物理ダウンリンク制御チャネルに占有されたシンボルは、前記第一の同期信号ブロックに占有されたシンボルと重ならないことを特徴とする
請求項４６に記載のネットワーク装置。
【請求項５１】
前記第一の同期信号ブロックは、前記第一のタイムスロット又は前記第一のミニタイムスロットのＮ−Ｍ＋１番目〜Ｎ番目のシンボルを占有し、前記第一の物理ダウンリンク制御チャネルは、前記第一のタイムスロット又は前記第一のミニタイムスロットの１番目〜Ｐ番目のシンボルを占有し、Ｐが正整数であり、且つＰ≦（Ｎ−Ｍ）であることを特徴とする
請求項４７に記載のネットワーク装置。
【請求項５２】
前記送信ユニットはさらに、
第二のタイムスロット又は第二のミニタイムスロットにおいて前記端末装置へ第二の物理ダウンリンク制御チャネルを送信するように構成され、前記第二のタイムスロット又は前記第二のミニタイムスロットが同期信号ブロックを含まなく、前記第二のタイムスロット又は前記第二のミニタイムスロットにおける前記第二の物理ダウンリンク制御チャネルの位置が前記第一のタイムスロット又は前記第一のミニタイムスロットにおける前記第一の物理ダウンリンク制御チャネルの位置と同じであることを特徴とする
請求項４６−５１のいずれか一項に記載のネットワーク装置。
【請求項５３】
前記送信ユニットはさらに、
第二のタイムスロット又は第二のミニタイムスロットにおいて前記端末装置へ第二の物理ダウンリンク制御チャネルを送信するように構成され、前記第二のタイムスロット又は前記第二のミニタイムスロットが同期信号ブロックを含まなく、前記第二のタイムスロット又は前記第二のミニタイムスロットにおける前記第二の物理ダウンリンク制御チャネルの位置が前記第一のタイムスロット又は前記第一のミニタイムスロットにおける前記第一の物理ダウンリンク制御チャネルの位置と異なることを特徴とする
請求項４６−５１のいずれか一項に記載のネットワーク装置。
【請求項５４】
前記送信ユニットはさらに、
前記端末装置へ第一の指示情報と第二の指示情報を送信するように構成され、前記第一の指示情報が前記第一のタイムスロット又は前記第一のミニタイムスロットにおける前記第一の物理ダウンリンク制御チャネルの位置を示すことに用いられ、前記第二の指示情報が前記第二のタイムスロット又は前記第二のミニタイムスロットにおける前記第二の物理ダウンリンク制御チャネルの位置を示すことに用いられることを特徴とする
請求項５３に記載のネットワーク装置。
【請求項５５】
前記第一の指示情報及び／又は前記第二の指示情報は物理ブロードキャストチャネル又はシステムメッセージにより搬送されることを特徴とする
請求項５４に記載のネットワーク装置。
【請求項５６】
前記第一の物理ダウンリンク制御チャネルは、前記第一のタイムスロット又は前記第一のミニタイムスロットにおける物理ダウンリンクデータチャネル、前記第一のタイムスロット又は前記第一のミニタイムスロットの後の少なくと一つのタイムスロット又はミニタイムスロットにおける物理ダウンリンクデータチャネル、及び前記第一のタイムスロット又は前記第一のミニタイムスロットの前の少なくとも一つのタイムスロット又はミニタイムスロットにおける物理ダウンリンクデータチャネルのうちの少なくと一つをスケジューリングすることに用いられることを特徴とする
請求項４６−５５のいずれか一項に記載のネットワーク装置。
【請求項５７】
前記物理ダウンリンク制御チャネルにより搬送されたダウンリンク制御情報は、前記第一の物理ダウンリンク制御チャネルによってスケジューリングされた物理ダウンリンクデータチャネルが前記第一のタイムスロット又は前記第一のミニタイムスロットの前の少なくとも一つのタイムスロット又はミニタイムスロットに位置することを示すことに用いられ、前記送信ユニットはさらに、
前記端末装置へ第三の指示情報を送信するように構成され、前記第三の指示情報が前記少なくとも一つのタイムスロット又はミニタイムスロットにおける、前記第一の物理ダウンリンク制御チャネルによってスケジューリングされることができる物理ダウンリンクデータチャネルの位置を示すことに用いられることを特徴とする
請求項５６に記載のネットワーク装置。
【請求項５８】
前記第三の指示情報は無線リソース制御（ＲＲＣ）シグナリングにより搬送されることを特徴とする
請求項５７に記載のネットワーク装置。
【請求項５９】
前記送信ユニットはさらに、
第三のタイムスロット又は第三のミニタイムスロットにおいて前記端末装置へ第二の同期信号ブロックと第三の物理ダウンリンク制御チャネルを送信するように構成され、前記第二の同期信号ブロックが同期信号と物理ブロードキャストチャネルを含み、前記第一の同期信号ブロックが前記第二の同期信号ブロックと異なることを特徴とする
請求項４６−５８のいずれか一項に記載のネットワーク装置。
【請求項６０】
前記第一のタイムスロット又は前記第一のミニタイムスロットと、前記第三のタイムスロット又は前記第三のミニタイムスロットとは、前記ネットワーク装置により連続的にスケジューリングされることを特徴とする
請求項５９に記載のネットワーク装置。
【発明の詳細な説明】
【技術分野】
【０００１】
本出願の実施例は通信分野に関し、且つより具体的には、信号伝送方法、端末装置とネットワーク装置に関する。
【背景技術】
【０００２】
長期進化型（ＬＴＥ：Ｌｏｎｇ  Ｔｅｒｍ  Ｅｖｏｌｕｔｉｏｎ）システムでは、物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）の時間領域位置が完全に固定され、各１ｍｓサブフレームの先頭のいくつかのシンボル（最大３つ）に位置する。ＬＴＥ  ＦＤＤの同期信号（ＳＳ：Ｓｙｎｃｈｒｏｎｉｚａｔｉｏｎ  Ｓｉｇｎａｌ）と物理ブロードキャストチャネル（ＰＢＣＨ：Ｐｈｙｓｉｃａｌ  Ｂｒｏａｄｃａｓｔ  Ｃｈａｎｎｅｌ）はそれぞれ一つのサブフレームの異なるタイムスロットに位置する。新しい無線（ＮＲ：Ｎｅｗ  Ｒａｄｉｏ）システムでは、高周波帯域にマルチビーム技術が導入され、即ちネットワーク装置がマルチビームの信号を時分割で交互に送信するため、エネルギーを集中させてカバレッジを拡大するために、各時間ユニットにおいていくつかのビームのみで信号を送信する。現在のＮＲの研究によれば、各ビームがＳＳとＰＢＣＨを一つの同期信号ブロック（ＳＳ  ｂｌｏｃｋ）で伝送し、ＳＳ  ｂｌｏｃｋがシステム帯域幅の中央部分に位置し、従来のＮＲ解決策におけるネットワークリソース率が低い。
【発明の概要】
【発明が解決しようとする課題】
【０００３】
これに鑑みて、本出願の実施例による情報伝送方法、端末装置とネットワーク装置は、ＮＲ高周波数帯域伝送要件を満たすとともに、同期信号、ブロードキャストチャネルと物理ダウンリンク制御チャネルの効率的な多重化を実現し、制御シグナリングオーバーヘッドと端末の複雑さを低減させ、リソース利用率と通信システムの柔軟性を向上させることができる。
【課題を解決するための手段】
【０００４】
第一の態様による情報伝送方法は、端末装置は、ネットワーク装置から送信された第一の同期信号ブロックと第一の物理ダウンリンク制御チャネルを第一のタイムスロット又は第一のミニタイムスロットにおいて受信し、該第一のタイムスロット又は第一のミニタイムスロットがＮ個のシンボルを含み、該第一の同期信号ブロックが該第一のタイムスロット又は該第一のミニタイムスロットにおける連続するＭ個のシンボルを占有し、該第一の同期信号ブロックが同期信号と物理ブロードキャストチャネルを含み、Ｍ、Ｎがいずれも正整数であり、且つＭ≦Ｎであることを含む。
【０００５】
選択可能に、端末装置はサブフレームなどの他の時間領域スケジューリングユニットで第一の同期信号ブロックと第一の物理ダウンリンク制御チャネルを受信することもできる。しかも一つの時間領域スケジューリングユニットは、周波数領域において複数のサブ搬送波又はシステム帯域幅全体を含むことができる。
【０００６】
ＮＲシステムでは、一つの同期信号ブロックは一つのビームを用いる。異なる同期信号ブロックは異なるビームを用いる。
【０００７】
選択可能に、該第一の同期信号ブロックは一つの時間領域スケジューリングユニットにおける離散する複数のシンボルを占有することもできる。
【０００８】
一つの可能な実施形態では、該第一の物理ダウンリンク制御チャネルに占有されたシンボルは該第一の同期信号ブロックに占有されたシンボルと少なくとも一部重なり、該第一の物理ダウンリンク制御チャネルに占有された周波数領域リソースは該第一の同期信号ブロックに占有された周波数領域リソースと重ならない。
【０００９】
一つの可能な実施形態では、該第一の同期信号ブロックは該第一のタイムスロット又は該第一のミニタイムスロットの１番目〜Ｍ番目のシンボルを占有する。
【００１０】
この構造のダウンリンク時間領域スケジューリングユニットにより、端末はセルサーチを完了した直後に、直ちに現在の時間領域スケジューリングユニットの物理ダウンリンク制御チャネルとシステム情報を読み取ることができ、端末がネットワークにアクセスするための時間を短縮させ、端末がネットワークにアクセスする過程における電力消費を節約することができる。
【００１１】
選択可能に、該第一の同期信号ブロックは該第一のタイムスロット又は該第一のミニタイムスロットの中央の連続するＭ個のシンボルを占有することができる。
【００１２】
一つの可能な実施形態では、該第一の物理ダウンリンク制御チャネルが該第一のタイムスロット又は該第一のミニタイムスロットの１番目〜Ｐ番目のシンボルを占有し、該第一の物理ダウンリンク制御チャネルが周波数領域において該第一の同期信号ブロック帯域幅の少なくとも一側に位置し、Ｐが正整数であり、且つＰ≦Ｍである。
【００１３】
一つの可能な実施形態では、該第一の物理ダウンリンク制御チャネルに占有されたシンボルは該第一の同期信号ブロックに占有されたシンボルと重ならない。
【００１４】
一つの可能な実施形態では、該第一の同期信号ブロックが該第一のタイムスロット又は該第一のミニタイムスロットのＮ−Ｍ＋１番目〜Ｎ番目のシンボルを占有し、該第一の物理ダウンリンク制御チャネルが該第一のタイムスロット又は該第一のミニタイムスロットの１番目〜Ｐ番目のシンボルを占有し、Ｐが正整数であり、且つＰ≦（Ｎ−Ｍ）である。
【００１５】
一つの可能な実施形態では、該方法はさらに該端末装置が該ネットワーク装置から送信された第二の物理ダウンリンク制御チャネルを第二のタイムスロット又は第二のミニタイムスロットにおいて受信し、該第二のタイムスロット又は該第二のミニタイムスロットが同期信号ブロックを含まなく、該第二のタイムスロット又は該第二のミニタイムスロットにおける該第二の物理ダウンリンク制御チャネルの位置が該第一のタイムスロット又は該第一のミニタイムスロットにおける該第一の物理ダウンリンク制御チャネルの位置と同じであることを含む。
【００１６】
この構造のダウンリンク時間領域スケジューリングユニットでは、同期信号ブロックを含む時間領域スケジューリングユニットと同期信号ブロックを含まない時間領域スケジューリングユニットの物理ダウンリンク制御チャネルの位置が同じであり、物理ダウンリンク制御チャネルの簡単な構造が維持され、これにより、物理ダウンリンク制御チャネル位置を設定するための余分なシグナリングを回避し、シグナリングオーバーヘッドを削減し、端末とネットワーク装置の複雑さを簡略化することができる。
【００１７】
一つの可能な実施形態では、該方法はさらに該端末装置がネットワーク装置から送信された第二の物理ダウンリンク制御チャネルを第二のタイムスロット又は第二のミニタイムスロットにおいて受信し、該第二のタイムスロット又は該第二のミニタイムスロットが同期信号ブロックを含まなく、該第二のタイムスロット又は該第二のミニタイムスロットにおける該第二の物理ダウンリンク制御チャネルの位置が該第一のタイムスロット又は該第一のミニタイムスロットにおける該第一の物理ダウンリンク制御チャネルの位置と異なることを含む。
【００１８】
一つの可能な実施形態では、該方法はさらに該端末装置は第一の指示情報と第二の指示情報を受信し、該第一の指示情報が該第一のタイムスロット又は該第一のミニタイムスロットにおける該第一の物理ダウンリンク制御チャネルの位置を示すことに用いられ、該第二の指示情報が該第二のタイムスロット又は該第二のミニタイムスロットにおける該第二の物理ダウンリンク制御チャネルの位置を示すことに用いられることと、該端末装置が該第一の指示情報と第二の指示情報に基づき、該第一のタイムスロット又は該第一のミニタイムスロットにおける該第一の物理ダウンリンク制御チャネルの位置と該第二のタイムスロット又は該第二のミニタイムスロットにおける該第二の物理ダウンリンク制御チャネルの位置をそれぞれ確定することとを含む。
【００１９】
一つの可能な実施形態では、該第一の指示情報及び／又は該第二の指示情報は物理ブロードキャストチャネル又はシステムメッセージにより搬送される。
【００２０】
一つの可能な実施形態では、該第一の物理ダウンリンク制御チャネルは、該第一のタイムスロット又は該第一のミニタイムスロットにおける物理ダウンリンクデータチャネル、該第一のタイムスロット又は第一のミニタイムスロットの後の少なくと一つのタイムスロット又はミニタイムスロットにおける物理ダウンリンクデータチャネルと該第一のタイムスロット又は第一のミニタイムスロットの前の少なくとも一つのタイムスロット又はミニタイムスロットにおける物理ダウンリンクデータチャネルのうちの少なくと一つをスケジューリングすることに用いられる。
【００２１】
物理ダウンリンク制御チャネルは本時間領域スケジューリングユニットの物理ダウンリンクデータチャネルだけでなく、本時間領域スケジューリングユニットの前の時間領域スケジューリングユニットの物理ダウンリンクデータチャネル又は後の時間領域スケジューリングユニットの物理ダウンリンクデータチャネルをスケジューリングすることができ、これにより、リソーススケジューリングの柔軟性がさらに向上し、ビームユーザ容量とサービス負荷により良く適応できる。
【００２２】
一つの可能な実施形態では、該第一の物理ダウンリンク制御チャネルにより搬送されたダウンリンク制御情報が、該第一の物理ダウンリンク制御チャネルによってスケジューリングされた物理ダウンリンクデータチャネルが該第一のタイムスロット又は該第一のミニタイムスロットの前の少なくとも一つのタイムスロット又はミニタイムスロットに位置することを示すことに用いられ、該方法はさらに該端末装置は、第三の指示情報を受信し、該第三の指示情報が該少なくとも一つのタイムスロット又はミニタイムスロットにおける、該第一の物理ダウンリンク制御チャネルによってスケジューリングされることができる物理ダウンリンクデータチャネルの位置を示すことに用いられることと、該端末装置が該指示情報に基づき、該少なくとも一つのタイムスロット又はミニタイムスロットにおける該第一の物理ダウンリンク制御チャネルによってスケジューリングされることができる物理ダウンリンクデータチャネルにより搬送されたデータをキャッシュすることと、該端末装置が該第一の物理ダウンリンク制御チャネルに基づき、該端末装置によってキャッシュされた該少なくとも一つのタイムスロット又はミニタイムスロットにおける該第一の物理ダウンリンク制御チャネルによってスケジューリングされることができる物理ダウンリンクデータチャネルにより搬送されたデータから該第一の物理ダウンリンク制御チャネルに対応するデータを取得することとを含む。
【００２３】
一つの可能な実施形態では、該第三の指示情報は無線リソース制御（ＲＲＣ：Ｒａｄｉｏ  Ｒｅｓｏｕｒｃｅ  Ｃｏｎｔｒｏｌ）シグナリングにより搬送される。
【００２４】
一つの可能な実施形態では、該方法はさらに該端末装置が該ネットワーク装置から送信された第二の同期信号ブロックと第三の物理ダウンリンク制御チャネルを第三のタイムスロット又は第三のミニタイムスロットにおいて受信し、該第二の同期信号ブロックが同期信号と物理ブロードキャストチャネルを含み、該第一の同期信号ブロックが該第二の同期信号ブロックと異なることを含む。
【００２５】
一つの可能な実施形態では、該第一のタイムスロット又は該第一のミニタイムスロットと該第三のタイムスロット又は該第三のミニタイムスロットは該ネットワーク装置により連続的にスケジューリングされる。
【００２６】
同期信号ブロックの位置する時間領域スケジューリングユニットが連続的に伝送されるため、端末が同期信号をサーチし、ブロードキャストチャネルを読み取るための時間を短縮させ、それによって端末の電力消費を節約することができる。
【００２７】
第二の態様による情報伝送方法は、ネットワーク装置が第一のタイムスロット又は第一のミニタイムスロットにおいて端末装置へ第一の同期信号ブロックと第一の物理ダウンリンク制御チャネルを送信し、該第一のタイムスロット又は第一のミニタイムスロットがＮ個のシンボルを含み、該第一の同期信号ブロックが該第一のタイムスロット又は第一のミニタイムスロットにおける連続するＭ個のシンボルを占有し、該第一の同期信号ブロックが同期信号とブロードキャストチャネルを含み、Ｍ、Ｎがいずれも正整数であり、且つＭ≦Ｎであることを含む。
【００２８】
一つの可能な実施形態では、該第一の物理ダウンリンク制御チャネルに占有されたシンボルは該第一の同期信号ブロックに占有されたシンボルと少なくとも一部重なり、該第一の物理ダウンリンク制御チャネルに占有された周波数領域リソースは該第一の同期信号ブロックに占有された周波数領域リソースと重ならない。
【００２９】
一つの可能な実施形態では、該第一の同期信号ブロックは該第一のタイムスロット又は該第一のミニタイムスロットの１番目〜Ｍ番目のシンボルを占有する。
【００３０】
一つの可能な実施形態では、該第一の物理ダウンリンク制御チャネルが該第一のタイムスロット又は該第一のミニタイムスロットの１番目〜Ｐ番目のシンボルを占有し、該第一の物理ダウンリンク制御チャネルが周波数領域において該第一の同期信号ブロック帯域幅の少なくとも一側に位置し、Ｐが正整数であり、且つＰ≦Ｍである。
【００３１】
一つの可能な実施形態では、該第一の物理ダウンリンク制御チャネルに占有されたシンボルは該第一の同期信号ブロックに占有されたシンボルと重ならない。
【００３２】
一つの可能な実施形態では、該第一の同期信号ブロックが該第一のタイムスロット又は該第一のミニタイムスロットのＮ−Ｍ＋１番目〜Ｎ番目のシンボルを占有し、該第一の物理ダウンリンク制御チャネルが該第一のタイムスロット又は該第一のミニタイムスロットの１番目〜Ｐ番目のシンボルを占有し、Ｐが正整数であり、且つＰ≦（Ｎ−Ｍ）である。
【００３３】
一つの可能な実施形態では、該方法はさらに該ネットワーク装置が第二のタイムスロット又は第二のミニタイムスロットにおいて該端末装置へ第二の物理ダウンリンク制御チャネルを送信し、該第二のタイムスロット又は該第二のミニタイムスロットが同期信号ブロックを含まなく、該第二のタイムスロット又は該第二のミニタイムスロットにおける該第二の物理ダウンリンク制御チャネルの位置が該第一のタイムスロット又は該第一のミニタイムスロットにおける該第一の物理ダウンリンク制御チャネルの位置と同じであることを含む。
【００３４】
一つの可能な実施形態では、該方法はさらに該ネットワーク装置が第二のタイムスロット又は第二のミニタイムスロットにおいて該端末装置へ第二の物理ダウンリンク制御チャネルを送信し、該第二のタイムスロット又は該第二のミニタイムスロットが同期信号ブロックを含まなく、該第二のタイムスロット又は該第二のミニタイムスロットにおける該第二の物理ダウンリンク制御チャネルの位置が該第一のタイムスロット又は該第一のミニタイムスロットにおける該第一の物理ダウンリンク制御チャネルの位置と異なることを含む。
【００３５】
一つの可能な実施形態では、該方法はさらに該ネットワーク装置が該端末装置へ第一の指示情報と第二の指示情報を送信し、該第一の指示情報が該第一のタイムスロット又は該第一のミニタイムスロットにおける該第一の物理ダウンリンク制御チャネルの位置を示すことに用いられ、該第二の指示情報が該第二のタイムスロット又は該第二のミニタイムスロットにおける該第二の物理ダウンリンク制御チャネルの位置を示すことに用いられることを含む。
【００３６】
一つの可能な実施形態では、該第一の指示情報及び／又は該第二の指示情報は物理ブロードキャストチャネル又はシステムメッセージにより搬送される。
【００３７】
一つの可能な実施形態では、該第一の物理ダウンリンク制御チャネルは、該第一のタイムスロット又は該第一のミニタイムスロットにおける物理ダウンリンクデータチャネル、該第一のタイムスロット又は第一のミニタイムスロットの後の少なくと一つのタイムスロット又はミニタイムスロットにおける物理ダウンリンクデータチャネルと該第一のタイムスロット又は第一のミニタイムスロットの前の少なくとも一つのタイムスロット又はミニタイムスロットにおける物理ダウンリンクデータチャネルのうちの少なくと一つをスケジューリングすることに用いられる。
【００３８】
一つの可能な実施形態では、該物理ダウンリンク制御チャネルにより搬送されたダウンリンク制御情報が、該第一の物理ダウンリンク制御チャネルによってスケジューリングされた物理ダウンリンクデータチャネルが該第一のタイムスロット又は該第一のミニタイムスロットの前の少なくとも一つのタイムスロット又はミニタイムスロットに位置することを示すことに用いられ、該方法はさらに該ネットワーク装置が該端末装置へ第三の指示情報を送信し、該第三の指示情報が該少なくとも一つのタイムスロット又はミニタイムスロットにおける、該第一の物理ダウンリンク制御チャネルによってスケジューリングされることができる物理ダウンリンクデータチャネルの位置を示すことに用いられることを含む。
【００３９】
一つの可能な実施形態では、該第三の指示情報は無線リソース制御（ＲＲＣ）シグナリングにより搬送される。
【００４０】
一つの可能な実施形態では、該方法はさらに該ネットワーク装置が第三のタイムスロット又は第三のミニタイムスロットにおいて該端末装置へ第二の同期信号ブロックと第三の物理ダウンリンク制御チャネルを送信し、該第二の同期信号ブロックが同期信号と物理ブロードキャストチャネルを含み、該第一の同期信号ブロックが該第二の同期信号ブロックと異なることを含む。
【００４１】
一つの可能な実施形態では、該第一のタイムスロット又は該第一のミニタイムスロットと該第三のタイムスロット又は該第三のミニタイムスロットは該ネットワーク装置により連続的にスケジューリングされる。
【００４２】
第三の態様による端末装置は上記第一の態様又は第一の態様のいずれかの可能な実施形態における方法を実行することに用いられる。具体的には、該端末装置は、上記第一の態様又は第一の態様のいずれかの可能な実施形態における方法を実行するためのユニットを備える。
【００４３】
第四の態様によるネットワーク装置は上記第二の態様又は第二の態様のいずれかの可能な実施形態における方法を実行することに用いられる。具体的には、該ネットワーク装置は、上記第二の態様又は第二の態様のいずれかの可能な実施形態における方法を実行するためのユニットを備える。
【００４４】
第五の態様による端末装置は、メモリ、プロセッサ、入力インタフェースと出力インタフェースを備える。ここで、メモリ、プロセッサ、入力インタフェースと出力インタフェースはバスシステムを介して接続される。該メモリは命令を記憶するように構成され、該プロセッサは該メモリに記憶された、上記第一の態様又は第一の態様のいずれかの可能な実施形態における方法を実行するための命令を実行するように構成される。
【００４５】
第六の態様によるネットワーク装置は、メモリ、プロセッサ、入力インタフェースと出力インタフェースを備える。ここで、メモリ、プロセッサ、入力インタフェースと出力インタフェースはバスシステムを介して接続される。該メモリは命令を記憶するように構成され、該プロセッサが該メモリに記憶された、上記第二の態様又は第二の態様のいずれかの可能な実施形態における方法を実行するための命令を実行するように構成する。
【００４６】
第七の態様によるコンピュータ記憶媒体は、上記第一の態様又は第一の態様のいずれかの可能な実施形態における方法、又は上記第二の態様又は第二の態様のいずれかの可能な実施形態における方法を実行するための、上記態様を実行するために設計されたプログラムを含むコンピュータソフトウエア命令を記憶するように構成される。
【００４７】
本出願のこれらの態様又は他の態様は以下の実施例の説明からより容易に明らかになる。
【図面の簡単な説明】
【００４８】
【図１】本出願の実施例の一つの応用シーンを示す概略図である。
【図２】本出願の実施例による情報伝送方法を示す概略ブロック図である。
【図３】本出願の実施例によるダウンリンク時間領域スケジューリングユニットの構造を示す概略図である。
【図４】本出願の実施例によるダウンリンク時間領域スケジューリングユニットの別の構造を示す概略図である。
【図５】本出願の実施例によるダウンリンク時間領域スケジューリングユニットの別の構造を示す概略図である。
【図６】本出願の実施例によるダウンリンク時間領域スケジューリングユニットの別の構造を示す概略図である。
【図７】本出願の実施例によるダウンリンク時間領域スケジューリングユニットの別の構造を示す概略図である。
【図８】本出願の実施例によるダウンリンク時間領域スケジューリングユニットの別の構造を示す概略図である。
【図９】本出願の実施例によるダウンリンク時間領域スケジューリングユニットの別の構造を示す概略図である。
【図１０】本出願の実施例によるダウンリンク時間領域スケジューリングユニットの別の構造を示す概略図である。
【図１１】本出願の実施例によるダウンリンク時間領域スケジューリングユニットの別の構造を示す概略図である。
【図１２】本出願の実施例によるダウンリンク時間領域スケジューリングユニットの別の構造を示す概略図である。
【図１３】本出願の実施例による情報伝送方法を示す別の概略ブロック図である。
【図１４】本出願の実施例による情報を伝送するための端末装置を示す概略ブロック図である。
【図１５】本出願の実施例による情報を伝送するためのネットワーク装置を示す概略ブロック図である。
【図１６】本出願の実施例による情報を伝送するための端末装置を示す別の概略ブロック図である。
【図１７】本出願の実施例による情報を伝送するためのネットワーク装置を示す別の概略ブロック図である。
【発明を実施するための形態】
【００４９】
以下に本発明の実施例の図面を組み合わせながら、本出願の実施例における技術的解決策を明確に、全面的に説明する。
【００５０】
理解すべきものとして、本出願の実施例の技術的解決策は様々な通信システム、例えばグローバルモバイル通信（ＧＳＭ：Ｇｌｏｂａｌ  Ｓｙｓｔｅｍ  ｆｏｒ  Ｍｏｂｉｌｅ  Ｃｏｍｍｕｎｉｃａｔｉｏｎ）システム、符号分割多元アクセス（ＣＤＭＡ：Ｃｏｄｅ  Ｄｉｖｉｓｉｏｎ  Ｍｕｌｔｉｐｌｅ  Ａｃｃｅｓｓ）システム、帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、長期進化型（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）、汎用移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、グローバル相互接続マイクロ波アクセス（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム又は将来の５Ｇシステムなどに応用されてもよい。
【００５１】
特に、本出願の実施例の技術的解決策は非直交マルチアクセス技術に基づく様々な通信システム、例えばスパースコードマルチアクセス（ＳＣＭＡ：Ｓｐａｒｓｅ  Ｃｏｄｅ  Ｍｕｌｔｉｐｌｅ  Ａｃｃｅｓｓ）システム、低密度署名（ＬＤＳ：Ｌｏｗ  Ｄｅｎｓｉｔｙ  Ｓｉｇｎａｔｕｒｅ）システムなどに応用されてもよく、当然、ＳＣＭＡシステムとＬＤＳシステムが通信分野において他の名称と呼ばれてもよく、さらに、本出願の実施例の技術的解決策は非直交マルチアクセス技術を用いたマルチ搬送波伝送システム、例えば非直交マルチアクセス技術を用いた直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）、フィルターバンクマルチ搬送波（ＦＢＭＣ：Ｆｉｌｔｅｒ  Ｂａｎｋ  Ｍｕｌｔｉ−Ｃａｒｒｉｅｒ）、汎用周波数分割多重（ＧＦＤＭ：Ｇｅｎｅｒａｌｉｚｅｄ  Ｆｒｅｑｕｅｎｃｙ  Ｄｉｖｉｓｉｏｎ  Ｍｕｌｔｉｐｌｅｘｉｎｇ）、フィルタ直交周波数分割多重（Ｆ−ＯＦＤＭ：Ｆｉｌｔｅｒｅｄ−ＯＦＤＭ）システムなどに応用されてもよい。
【００５２】
本出願の実施例における端末装置はユーザ装置（ＵＥ：Ｕｓｅｒ  Ｅｑｕｉｐｍｅｎｔ）、アクセス端末、加入者ユニット、加入者局、移動局、移動ステーション、遠隔局、遠隔端末、移動装置、ユーザ端末、端末、無線通信装置、ユーザエージェント又はユーザ装置を指すことができる。アクセス端末はセルラー電話、コードレス電話、セッション開始プロトコル（ＳＩＰ：Ｓｅｓｓｉｏｎ  Ｉｎｉｔｉａｔｉｏｎ  Ｐｒｏｔｏｃｏｌ）電話、無線ローカルループ（ＷＬＬ：Ｗｉｒｅｌｅｓｓ  Ｌｏｃａｌ  Ｌｏｏｐ）ステーション、パーソナルデジタル処理（ＰＤＡ：Ｐｅｒｓｏｎａ１  Ｄｉｇｉｔａ１  Ａｓｓｉｓｔａｎｔ）、無線通信機能を備えたハンドヘルドデバイス、コンピューティングデバイス又は無線モデムに接続された他の処理装置、車載デバイス、ウェアラブルデバイス、将来の５Ｇネットワークにおける端末装置又は将来の進化した公衆陸上モバイルネットワーク（ＰＬＭＮ：Ｐｕｂｌｉｃ  Ｌａｎｄ  Ｍｏｂｉｌｅ  Ｎｅｔｗｏｒｋ）における端末装置などであってもよく、本出願の実施例において限定されない。
【００５３】
本出願の実施例におけるネットワーク装置は端末装置と通信するための装置であってもよく、該ネットワーク装置はＧＳＭ又はＣＤＭＡにおける基地局（ＢＴＳ：Ｂａｓｅ  Ｔｒａｎｓｃｅｉｖｅｒ  Ｓｔａｔｉｏｎ）であってもよいし、ＷＣＤＭＡシステムにおける基地局（ＮＢ：ＮｏｄｅＢ）であってもよいし、ＬＴＥシステムにおける進化型基地局（ｅＮＢ又はｅＮｏｄｅＢ：Ｅｖｏｌｕｔｉｏｎａｌ  ＮｏｄｅＢ）であってもよいし、クラウド無線アクセスネットワーク（ＣＲＡＮ：Ｃｌｏｕｄ  Ｒａｄｉｏ  Ａｃｃｅｓｓ  Ｎｅｔｗｏｒｋ）シーンにおける無線コントローラであってもよく、又は該ネットワーク装置は中継局、アクセスポイント、車載デバイス、ウェアラブルデバイス及び将来の５Ｇネットワークにおけるネットワーク装置又は将来の進化したＰＬＭＮネットワークにおけるネットワーク装置などであってもよく、本出願の実施例において限定されない。
【００５４】
図１は本出願の実施例の一つの応用シーンを示す概略図である。図１における通信システムは端末装置１０とネットワーク装置２０を備えることができる。ネットワーク装置２０は端末装置１０に通信サービスを提供することに用いられ且つコアネットワークにアクセスし、端末装置１０はネットワーク装置２０から送信された同期信号、ブロードキャスト信号などをサーチしてネットワークにアクセスし、それによってネットワークとの通信を行う。図１に示す矢印は端末装置１０とネットワーク装置２０の間のセルラーリンクによるアップリンク／ダウンリンク送信を表すことができる。
【００５５】
ＬＴＥシステムでは、物理ダウンリンク制御チャネル（ＰＤＣＣＨ）の時間領域位置が完全に固定され、各１ｍｓサブフレームの先頭のいくつかのシンボル（最大３つ）に位置する。ＬＴＥ  ＦＤＤの同期信号（ＳＳ）が一つのサブフレームの前のタイムスロットの最後に位置し、物理ブロードキャストチャネル（ＰＢＣＨ）が該サブフレームの後のタイムスロットの先頭に位置する。ＬＴＥ  ＴＤＤのプライマリ同期信号（ＰＳＳ：Ｐｒｉｍａｒｙ  Ｓｙｎｃｈｒｏｎｉｚａｔｉｏｎ  Ｓｉｇｎａｌ）とセカンダリ同期信号（ＳＳＳ：Ｓｅｃｏｎｄａｒｙ  Ｓｙｎｃｈｒｏｎｉｚａｔｉｏｎ  Ｓｉｇｎａｌ）が異なるタイムスロットに位置し、異なるサブフレームがそれぞれタイムスロットの最後とタイムスロットの３番目のシンボルに位置し、物理ブロードキャストチャネル（ＰＢＣＨ）もタイムスロットの先頭に位置する。
【００５６】
５Ｇシステムでは、５Ｇの伝送レート要件を達成するために、高周波帯域（中心周波数が６ＧＨｚを超え、典型的に２８ＧＨｚである）でのデータ伝送をサポートする必要がある。高周波帯域でデータ伝送を行う時に、より良い伝送レートを達成するために、マルチアンテナ（ＭＩＭＯ：Ｍｕｌｔｉｐｌｅ  Ｉｎｐｕｔ  Ｍｕｌｔｉｐｌｅ  Ｏｕｔｐｕｔ）技術を用いる必要がある。高周波帯域でのＭＩＭＯ技術の使用にはアンテナのＲＦデバイスに対する要件が高く、アンテナのハードウェアコスト（例えばアナログ／デジタル（Ａ／Ｄ：Ａｎａｌｏｇ／Ｄｉｇｉｔａｌ）、デジタル／アナログＤ／Ａ変換器）も大幅に増加する。コストを削減するために、高周波帯域で一般的にハイブリッドビームフォーミングにより送受信ＲＦユニットの数を減らす。大量のアンテナをを用いるアンテナアレイがより狭く、指向性のより良いビームを生成することができ、各時間ユニット内においていくつかのビームのみで信号を送信するため、エネルギーを集中させ、カバレッジを拡大することができる。
【００５７】
理解を容易にするために、まず端末装置とネットワーク装置の間の基本的な通信プロセスを簡単に説明する。具体的には、端末装置は電源が投入された後、可能なセルのいくつかの中心周波数点でプライマリ同期信号（ＰＳＳ）とセカンダリ同期信号ＳＳＳを受信し、次いでＰＢＣＨを読み取ることができる。システム帯域幅、物理ハイブリッド自動再送インジケータチャネル（ＰＨＩＣＨ：Ｐｈｙｓｉｃａｌ  Ｈｙｂｒｉｄ  ＡＲＱ  Ｉｎｄｉｃａｔｏｒ  Ｃｈａｎｎｅｌ）リソース、アンテナ数又はシステムフレーム番号などのシステム情報をＰＢＣＨから取得することができる。端末装置はさらにシステムメッセージにいくつかの他の情報を含ませ、該ネットワーク装置によって提供された様々なサービスを滞在して使用することができる。ネットワーク装置が端末装置へウンリンクデータを送信する場合、ネットワーク装置はまず該ダウンリンクデータに割り当てられた物理ダウンリンクデータチャネル（ＰＤＳＣＨ：Ｐｈｙｓｉｃａｌ  Ｄｏｗｎｌｉｎｋ  Ｓｈａｒｅｄ  Ｃｈａｎｎｅｌ）がリソースグリッドのどの位置に配置されるかを端末装置に通知するための一つのダウンリンク制御チャネルを、端末装置に送信し、次にネットワーク装置は端末装置に割り当てられた位置に端末装置へＰＤＳＣＨを送信する。
【００５８】
図２は本出願の実施例による情報伝送方法１００を示す概略ブロック図である。図２に示すように、該方法１００はＳ１１０を含む。
【００５９】
Ｓ１１０において、端末装置はネットワーク装置から送信された第一の同期信号ブロックと第一の物理ダウンリンク制御チャネルを第一のタイムスロット又は第一のミニタイムスロットにおいて受信し、該第一のタイムスロット又は第一のミニタイムスロットがＮ個のシンボルを含み、該第一の同期信号ブロックが該第一のタイムスロット又は該第一のミニタイムスロットにおける連続するＭ個のシンボルを占有し、該第一の同期信号ブロックが同期信号と物理ブロードキャストチャネルを含み、Ｍ、Ｎがいずれも正整数であり、且つＭ≦Ｎである。
【００６０】
説明すべきものとして、第一、第一のタイムスロット又は第一のミニタイムスロットが時間領域スケジューリングユニットであり、ここでサブフレーム又は他の長さの単位であってもよく、一つの時間領域スケジューリングユニットは時間領域において複数のシンボルを含み、周波数領域において複数のサブ搬送波又はシステム帯域幅全体を含むことができる。第二、ＮＲシステムでは、各ビームのＳＳとＰＢＣＨが一つのＳＳ  ｂｌｏｃｋで伝送され、マルチビームのＳＳ  ｂｌｏｃｋが一つのＳＳ  ｂｕｒｓｔに組み合わせられる。言い換えれば、異なる同期信号ブロックは異なるビームを用いる。
【００６１】
具体的には、同期信号ブロックを含む時間領域スケジューリングユニットにおいて、物理ダウンリンク制御チャネルを伝送するための一部のリソースが同時に配置されてもよい。上述したように、ＬＴＥシステムでは、物理ダウンリンク制御チャネルが一つのサブフレームの先頭のいくつかのシンボルに位置するが、同期信号とＰＢＣＨがそれぞれ異なるタイムスロットに位置し、そして周波数領域がシステム帯域幅の中央の７２つのサブ搬送波に位置する。ＮＲシステムでは、時間領域スケジューリングユニットが一つのサブフレームではなく、一つのタイムスロット又はミニタイムスロットなどであってもよく、そしてシステムの帯域幅が大きくなり、ＬＴＥシステムにおける時間領域スケジューリングユニットの配置方式を依然として用いる場合、同期信号を含む時間領域スケジューリングユニットにおける周波数領域上の他の位置が無駄になり、同期信号ブロックを伝送する時間領域スケジューリングユニットにダウンリンク制御チャネルを伝送する一部のリソースが配置される場合、ＮＲ高周波帯域のカバレッジ要件を満たしながらリソース利用率を向上させ、各ビームの伝送時間を短縮させ、伝送遅延を減らし、より多くのビーム数を収容し、それによって通信システムの容量及びカバレッジを高めることができる。
【００６２】
選択可能に、本出願の実施例では、該方法１００はさらにＳ１２０を含むことができる。
【００６３】
Ｓ１２０において、端末装置は第一の同期信号ブロックに基づき、どのネットワーク装置であるかを区分し、又はネットワーク装置との同期などを実現し、端末装置はさらに第一の物理ダウンリンク制御チャネルに基づき、該第一の物理ダウンリンク制御チャネルに対応する物理ダウンリンクデータチャネルをスケジューリングすることができる。
【００６４】
選択可能に、該第一のタイムスロット又は第一のミニタイムスロットにおける他のリソースが割り当てられない場合、他のリソースは物理ダウンリンクデータチャネルを伝送することに用いられてもよい。このようにして該ビームにおけるデータチャネルの伝送リソースを拡張することができ、即ち、データ量が大きくない場合、該ビームにおいて端末装置に新しいタイムスロット又はミニタイムスロットを割り当てなくてもよい。同時に、一つのビームの伝送時間を短縮させ、単位時間内でより多くのビーム数を収容し、それによって通信システムの容量及びカバレッジを向上させることができる。
【００６５】
選択可能に、本出願の実施例では、該第一の物理ダウンリンク制御チャネルに占有されたシンボルは該第一の同期信号ブロックに占有されたシンボルと少なくとも一部重なり、該第一の物理ダウンリンク制御チャネルに占有された周波数領域リソースは該第一の同期信号ブロックに占有された周波数領域リソースと重ならない。
【００６６】
さらに、該第一の同期信号ブロックが該第一のタイムスロット又は該第一のミニタイムスロットの１番目〜Ｍ番目のシンボルを占有し、該第一の物理ダウンリンク制御チャネルが該第一のタイムスロット又は該第一のミニタイムスロットの１番目〜Ｐ番目のシンボルに占有し、該第一の物理ダウンリンク制御チャネルが周波数領域において該第一の同期信号ブロック帯域幅の少なくとも一側に位置し、Ｐが正整数であり、且つＰ≦Ｍである。
【００６７】
選択可能に、該第一の同期信号ブロックと該第一の物理ダウンリンク制御チャネルが時間領域において一部重なってもよいし、完全に重なってもよい。例えば、第一の同期信号ブロックが先頭のＭ個のシンボルを占有し、第一の物理ダウンリンク制御チャネルが第一の同期信号ブロック帯域幅の一側に位置し、そして第一のタイムスロット又は第一のミニタイムスロットの先頭のＭ個のシンボルを占有し、先頭のＰつのシンボルを占有することもでき、そして
2020515178.tif 000003
である。
【００６８】
第一の同期信号ブロックを第一のタイムスロット又は第一のミニタイムスロットの先頭のいくつかのシンボルに配置することにより、端末はセルサーチを完了した直後に現在のタイムスロットの物理ダウンリンク制御チャネルとシステム情報を読み取ることができ、端末がネットワークにアクセスするための時間を短縮させ、端末がネットワークにアクセスする過程における電力消費を節約することができる。
【００６９】
選択可能に、該第一の物理ダウンリンク制御チャネルが第一のタイムスロットと第二のミニタイムスロットの中央の連続するいくつかのシンボル又は最後のいくつかの連続するシンボルに配置されてもよく、第一の同期信号ブロックと時間領域において重なり、周波数領域において重ならないだけでよい。
【００７０】
選択可能に、本出願の実施例では、該第一の物理ダウンリンク制御チャネルに占有されたシンボルは該第一の同期信号ブロックに占有されたシンボルと重ならない。
【００７１】
さらに、該第一の同期信号ブロックが該第一のタイムスロット又は該第一のミニタイムスロットのＮ−Ｍ＋１番目〜Ｎ番目のシンボルを占有し、該第一の物理ダウンリンク制御チャネルが該第一のタイムスロット又は該第一のミニタイムスロットの１番目〜Ｐ番目のシンボルを占有し、Ｐが正整数であり、且つＰ≦（Ｎ−Ｍ）である。
【００７２】
選択可能に、第一の同期信号ブロックと第一の物理ダウンリンク制御チャネルが時間領域において重なってもよいし、重なれなくてもよい。本出願の実施例では、第一の同期信号ブロックと第一の物理ダウンリンク制御チャネルさえ時間領域において重ならければよく、具体的には、第一の同期信号ブロックを第一のタイムスロット又は第一のミニタイムスロットのシステム帯域幅の中央に配置し、そして第一のタイムスロット又は第一のミニタイムスロットの最後のいくつかのシンボルを占有することができる。同様に、第一の物理ダウンリンク制御チャネルを第一のタイムスロット又は第一のミニタイムスロットのシステム帯域幅の中央に配置し、そして第一のタイムスロット又は第一のミニタイムスロットの先頭のいくつかのシンボルを占有することができる。
【００７３】
選択可能に、本出願の実施例では、該方法はさらに該端末装置が該ネットワーク装置から送信された第二の物理ダウンリンク制御チャネルを第二のタイムスロット又は第二のミニタイムスロットにおいて受信し、該第二のタイムスロット又は該第二のミニタイムスロットが同期信号ブロックを含まなく、該第二のタイムスロット又は該第二のミニタイムスロットにおける該第二の物理ダウンリンク制御チャネルの位置が該第一のタイムスロット又は該第一のミニタイムスロットにおける該第一の物理ダウンリンク制御チャネルの位置と同じであることを含む。
【００７４】
端末装置に対して、一つの端末装置が一つのビームに対応してもよく、ネットワーク装置から端末装置に送信されるダウンリンクデータ量が大きい場合、同期信号ブロックを含むタイムスロット又はミニタイムスロットで物理ダウンリンクデータチャネルを伝送することができ、同期信号ブロックを含まないタイムスロット又はミニタイムスロットで物理ダウンリンクデータチャネルを伝送することもできる。理解すべきものとして、同期信号ブロックを含まない該タイムスロット又はミニタイムスロット、即ち上記の第二のタイムスロット又はミニタイムスロットが物理ダウンリンク制御チャネルを含まないことができ、全てのリソースが物理ダウンリンクデータチャネルを伝送することに用いられる。第一のタイムスロット又は第一のミニタイムスロットと第二のタイムスロット又は第二のミニタイムスロットにおける物理ダウンリンク制御チャネルの位置が同じに設定され、これにより、制御チャネルの簡単な構造が維持され、制御チャネルの位置を設定するための余分なシグナリングを回避し、シグナリングオーバーヘッドを削減し、端末とネットワーク装置の複雑さを簡略化することができる。
【００７５】
具体的には、第一の物理ダウンリンク制御チャネルと第二の物理ダウンリンク制御チャネルをそれぞれ第一のタイムスロット又は第一のミニタイムスロットと第二のタイムスロット又は第二のミニタイムスロットの先頭のいくつかのシンボル、例えば先頭の３つのシンボルなどに配置することができる。
【００７６】
選択可能に、本出願の実施例では、該方法はさらに該端末装置がネットワーク装置から送信された第二の物理ダウンリンク制御チャネルを第二のタイムスロット又は第二のミニタイムスロットにおいて受信し、該第二のタイムスロット又は該第二のミニタイムスロットが同期信号ブロックを含まなく、該第二のタイムスロット又は該第二のミニタイムスロットにおける該第二の物理ダウンリンク制御チャネルの位置が該第一のタイムスロット又は該第一のミニタイムスロットにおける該第一の物理ダウンリンク制御チャネルの位置と異なることを含む。
【００７７】
理解すべきものとして、ネットワーク装置は通常、ダウンリンク制御チャネルの共通サーチスペースを示すリソース情報をＰＢＣＨ又はシステムメッセージを介して端末装置に送信する。
【００７８】
さらに、第一のタイムスロット又は第一のミニタイムスロットと第二のタイムスロット又は第二のミニタイムスロットの物理ダウンリンク制御チャネルの位置が異なる場合、ネットワーク装置は端末装置へ第一の指示情報と第二の指示情報をそれぞれ送信し、該第一の指示情報が該第一のタイムスロット又は該第一のミニタイムスロットにおける第一の物理ダウンリンク制御チャネルの位置を示すことに用いられ、該第二の指示情報が該第二のタイムスロット又は該第二のミニタイムスロットにおける該第二の物理ダウンリンク制御チャネルの位置を示すことに用いられ、該端末装置は該第一の指示情報と第二の指示情報に基づき、該第一のタイムスロット又は該第一のミニタイムスロットにおける該第一の物理ダウンリンク制御チャネルの位置と該第二のタイムスロット又は該第二のミニタイムスロットにおける該第二の物理ダウンリンク制御チャネルの位置をそれぞれ確定する。
【００７９】
該第一の指示情報と第二の指示情報は一つのメッセージにより搬送されてもよいし、別々に送信されてもよい。
【００８０】
選択可能に、本出願の実施例では、該第一の物理ダウンリンク制御チャネルは、該第一のタイムスロット又は該第一のミニタイムスロットにおける物理ダウンリンクデータチャネル、該第一のタイムスロット又は第一のミニタイムスロットの後の少なくと一つのタイムスロット又はミニタイムスロットにおける物理ダウンリンクデータチャネルと該第一のタイムスロット又は第一のミニタイムスロットの前の少なくとも一つのタイムスロット又はミニタイムスロットにおける物理ダウンリンクデータチャネルのうちの少なくと一つをスケジューリングすることに用いられる。
【００８１】
即ち、タイムスロット又はミニタイムスロットにおける物理ダウンリンク制御チャネルは本タイムスロット又は本ミニタイムスロットにおける物理ダウンリンクデータチャネルだけでなく、別のタイムスロット又はミニタイムスロットにおける物理ダウンリンクデータチャネルをスケジューリングすることができる。別のタイムスロット又はミニタイムスロットが本タイムスロット又は本ミニタイムスロットの前の一つ又は複数のタイムスロット又はミニタイムスロットにおける物理ダウンリンクデータチャネルであってもよいし、本タイムスロット又は本ミニタイムスロットの後の一つ又は複数のミニタイムスロットにおける物理ダウンリンクデータチャネルであってもよい。
【００８２】
具体的には、該第一の物理ダウンリンク制御チャネルが第一のタイムスロット又は第一のミニタイムスロットの前のタイムスロット又はミニタイムスロットにおける物理ダウンリンクデータチャネルをスケジューリングする場合、以下の方式でデータを取得することができる。
【００８３】
該端末装置は第三の指示情報を受信し、該第三の指示情報が該少なくとも一つのタイムスロット又はミニタイムスロットにおける、該第一の物理ダウンリンク制御チャネルによってスケジューリングされることができる物理ダウンリンクデータチャネルの位置を示すことに用いられ、該端末装置は該指示情報に基づき、該少なくとも一つのタイムスロット又はミニタイムスロットにおける該第一の物理ダウンリンク制御チャネルによってスケジューリングされることができる物理ダウンリンクデータチャネルにより搬送されたデータをキャッシュし、該端末装置は該第一の物理ダウンリンク制御チャネルに基づき、該端末装置によってキャッシュされた該少なくとも一つのタイムスロット又はミニタイムスロットにおける該第一の物理ダウンリンク制御チャネルによってスケジューリングされることができる物理ダウンリンクデータチャネルにより搬送されたデータから該第一の物理ダウンリンク制御チャネルに対応するデータを取得する。
【００８４】
選択可能に、該第三の指示情報が無線リソース制御（ＲＲＣ）シグナリングにより搬送されてもよく、即ち、該少なくとも一つのタイムスロット又はミニタイムスロットにおける該第一の物理ダウンリンク制御チャネルによってスケジューリングされることができる物理ダウンリンクデータチャネルの位置が静的に設定されてもよく、ネットワーク装置は第三の指示情報を送信することなく、プロトコルによって定められた方式を直接用いることもできる。例えば、第一のタイムスロット又は第一のミニタイムスロットにおける物理ダウンリンク制御チャネルによってスケジューリングされることができる前のタイムスロット又はミニタイムスロットの物理ダウンリンクデータチャネルが該タイムスロット又はミニタイムスロットの最後の２つのシンボルを含むことがプロトコルによって定められる場合、端末装置はまず該２つのシンボルにおけるデータをキャッシュすることができ、端末装置が第一の物理ダウンリンクデータチャネルを受信した場合、第一の物理ダウンリンク制御チャネルによってスケジューリングされた物理ダウンリンクデータチャネルが第一のタイムスロット又は第一のミニタイムスロットの前のタイムスロット又はミニタイムスロットに位置することを知ることができ、キャッシュされたデータから該第一の物理ダウンリンク制御チャネルに対応するデータを取得することができる。
【００８５】
選択可能に、本出願の実施例では、該方法はさらに該端末装置が該ネットワーク装置から送信された第二の同期信号ブロックと第三の物理ダウンリンク制御チャネルを第三のタイムスロット又は第三のミニタイムスロットにおいて受信し、該第二の同期信号ブロックが同期信号と物理ブロードキャストチャネルを含み、該第一の同期信号ブロックが該第二の同期信号ブロックと異なることを含む。
【００８６】
選択可能に、本出願の実施例では、該第一のタイムスロット又は該第一のミニタイムスロットと該第三のタイムスロット又は該第三のミニタイムスロットは該ネットワーク装置により連続的にスケジューリングされる。
【００８７】
具体的には、端末装置は同期信号ブロックを含むいくつかのタイムスロット又はミニタイムスロットを優先的に連続して受信し、その後同期信号ブロックに対応する、同期信号ブロックを含まないタイムスロット又はミニタイムスロットを連続的に受信することができる。ここで、異なる同期信号ブロックは異なるビームに対応する。言い換えれば、同期信号ブロックを含む全てのタイムスロット又はミニタイムスロットが連続的に伝送される。端末装置が同期信号ブロックを連続的に受信することができ、これにより、端末の電力消費を節約する。
【００８８】
選択可能に、同一のビームに対応する、同期信号ブロックを含むタイムスロット又はミニタイムスロットと同期信号ブロックを含まないタイムスロット又はミニタイムスロットが連続的に伝送され、同期信号ブロックを含む全てのタイムスロット又はミニタイムスロットが連続的に伝送されなくてもよい。
【００８９】
以下に図３〜図１２を組み合わせながら本発明の実施例における３つの具体的な時間領域スケジューリングユニットの構造を詳細に説明する。
【００９０】
第一の構造では、同期信号ブロックが時間領域スケジューリングユニットの全てのシンボルを占有する。
【００９１】
実施例１において、図３に示すように、同期信号ブロックがそれと同じ長さのミニタイムスロットで伝送され、ＰＤＣＣＨ、ＰＤＳＣＨが同期信号ブロックの位置するシンボルで伝送され、同期信号ブロック帯域幅の両側の周波数領域リソースを占有する。ここで、ＰＤＣＣＨが同期信号ブロック帯域幅の一側に位置してもよいし、両側に位置してもよい。この実施例では、まず各ビームにおける、同期信号ブロックを含むミニタイムスロットを伝送し、次に各ビームの、同期信号ブロックを含まないミニタイムスロット又はタイムスロットを伝送する。同一のビームは同期信号ブロックを含む時間領域スケジューリングユニットだけでなく、同期信号ブロックを含まない時間領域スケジューリングユニットを有することができる。
【００９２】
理解すべきものとして、実施例１では図３の同期信号ブロックがシステム帯域幅の中央を占有し、同期信号ブロックを含まない時間領域スケジューリングユニットのＰＤＣＣＨが先頭のいくつかのシンボルを占有することを例として説明し、各時間領域スケジューリングユニットにおけるＰＤＣＣＨがさらに該時間領域スケジューリングユニットにおける中央の連続するシンボル又は最後のいくつかの連続するシンボルを占有することができる。同期信号ブロックを含まない時間領域スケジューリングユニットはデータのみを伝送することに用いられてもよく、同一のビームの、同期信号ブロックを含む時間領域スケジューリングユニットの物理ダウンリンク制御チャネルによってスケジューリングされる。
【００９３】
該実施例１の利点は、端末装置がセルサーチを完了した直後に現在のタイムスロットのダウンリンク制御チャネルとシステム情報を読み取ることができ、そして同期信号ブロックが連続的に伝送され、端末装置が同期信号をサーチし、ＰＢＣＨを読み取るための時間を短縮させ、端末の電力消費を節約することができ、そして同期信号ブロックを含まない時間周波数リソースが柔軟に割り当てられてもよいことである。
【００９４】
実施例２において、図４に示すように、同期信号ブロックがそれと同じ長さのミニタイムスロットで伝送され、ＰＤＣＣＨ、ＰＤＳＣＨが同期信号ブロックの位置するシンボルで伝送され、同期信号ブロック帯域幅の両側の周波数領域リソースを占有する。ここで、ＰＤＣＣＨが同期信号ブロック帯域幅の一側に位置してもよいし、両側に位置してもよい。実施例１との違いは、各ビームの、同期信号ブロックを含むミニタイムスロットが連続的に伝送されなく、あるビームの、同期信号ブロックを含むミニタイムスロットと同期信号ブロックを含まないミニタイムスロットが連続的に伝送されることにある。
【００９５】
理解すべきものとして、実施例２では図４の同期信号ブロックがシステム帯域幅の中央を占有し、同期信号ブロックを含まない時間領域スケジューリングユニットのＰＤＣＣＨが先頭のいくつかのシンボルを占有することを例として説明し、各時間領域スケジューリングユニットにおけるＰＤＣＣＨがさらに該時間領域スケジューリングユニットにおける中央の連続するシンボル又は最後のいくつかの連続するシンボルを占有することができる。同期信号ブロックを含まない時間領域スケジューリングユニットはデータのみを伝送することに用いられてもよく、同一のビームの、同期信号ブロックを含む時間領域スケジューリングユニットの物理ダウンリンク制御チャネルによってスケジューリングされる。
【００９６】
該実施例２の利点は、端末がセルサーチを完了した直後に現在のタイムスロットの物理ダウンリンク制御チャネルとシステム情報を読み取ることができ、端末がネットワークにアクセスする速度が速く、そしてビーム間のハンドオーバ回数が少なく、それによって端末装置とネットワーク装置の操作の複雑さを下げることができることである。
【００９７】
第二の構造では、同期信号ブロックが時間領域スケジューリングユニットの全てのシンボルを占有する。
【００９８】
実施例３において、図５に示すように、同期信号ブロックがそれより長いタイムスロット又はミニタイムスロットの先頭で伝送され、ＰＤＣＣＨが同期信号ブロックの位置するシンボルで伝送され、同期信号ブロック帯域幅の両側の周波数領域リソースを占有する。ここで、ＰＤＣＣＨが同期信号ブロックの一側に位置してもよいし、両側に位置してもよい。この実施例では、まず各ビームにおける、同期信号ブロックを含むタイムスロット又はミニタイムスロットを伝送し、次に各ビームの、同期信号ブロックを含まないタイムスロット又はミニタイムスロットを伝送する。同一のビームは同期信号ブロックを含む時間領域スケジューリングユニットだけでなく、同期信号ブロックを含まない時間領域スケジューリングユニットを有することができる。
【００９９】
理解すべきものとして、実施例３では図５の同期信号ブロックがシステム帯域幅の中央を占有し、同期信号ブロックを含まない時間領域スケジューリングユニットのＰＤＣＣＨが先頭のいくつかのシンボルを占有することを例として説明し、各時間領域スケジューリングユニットにおけるＰＤＣＣＨがさらに該時間領域スケジューリングユニットにおける中央の連続するシンボル又は最後のいくつかの連続するシンボルを占有することができる。同期信号ブロックを含む時間領域スケジューリングユニットにおいて、同期信号ブロックさえ時間領域でＰＤＣＣＨと重なればよい。同期信号ブロックを含まない時間領域スケジューリングユニットはデータのみを伝送することに用いられてもよく、同一のビームの、同期信号ブロックを含む時間領域スケジューリングユニットの物理ダウンリンク制御チャネルによってスケジューリングされる。
【０１００】
該実施例３の利点は、端末装置がセルサーチを完了した直後に現在のタイムスロットのダウンリンク制御チャネルとシステム情報を読み取ることができ、端末がネットワークにアクセスするための時間を短縮させ、端末がネットワークにアクセスする過程における電力消費を節約することができ、そして同期信号ブロックを含むタイムスロット又はミニタイムスロットがより多くのデータ伝送リソースを有し、多くの場合で同期信号ブロックを含まないタイムスロット又はミニタイムスロットを用いることなく柔軟なリソース割り当てを実現することができることである。
【０１０１】
実施例４において、図６に示すように、同期信号ブロックがそれより長いタイムスロット又はミニタイムスロットの先頭で伝送され、ＰＤＣＣＨが同期信号ブロックの位置するシンボルで伝送され、同期信号ブロック帯域幅の両側の周波数領域リソースを占有する。ここで、ＰＤＣＣＨが同期信号ブロックの一側に位置してもよいし、両側に位置してもよい。実施例４と実施例３の違いは、各ビームの、同期信号ブロックを含むタイムスロット又はミニタイムスロットが連続的に伝送され、あるビームの、同期信号ブロックを含むタイムスロット又はミニタイムスロットと同期信号ブロックを含まないタイムスロット又はミニタイムスロットが連続的に伝送されないことにある。
【０１０２】
理解すべきものとして、実施例４では図６の同期信号ブロックがシステム帯域幅の中央を占有し、同期信号ブロックを含まない時間領域スケジューリングユニットのＰＤＣＣＨが先頭のいくつかのシンボルを占有することを例として説明し、各時間領域スケジューリングユニットにおけるＰＤＣＣＨがさらに該時間領域スケジューリングユニットにおける中央の連続するシンボル又は最後のいくつかの連続するシンボルを占有することができる。同期信号ブロックを含む時間領域スケジューリングユニットにおいて、同期信号ブロックさえ時間領域でＰＤＣＣＨと重なればよい。同期信号ブロックを含まない時間領域スケジューリングユニットはデータのみを伝送することに用いられてもよく、同一のビームの、同期信号ブロックを含む時間領域スケジューリングユニットの物理ダウンリンク制御チャネルによってスケジューリングされる。
【０１０３】
該実施例４の利点は、端末装置がセルサーチを完了した直後に現在のタイムスロットのダウンリンク制御チャネルとシステム情報を読み取り、端末がネットワークにアクセスする速度が速く、同期信号ブロックを含むタイムスロット又はミニタイムスロットがより多くのデータ伝送リソースを有し、多くの場合で同期信号ブロックを含まないタイムスロット又はミニタイムスロットを用いることなく柔軟なリソース割り当てを実現することができ、そしてビーム間のハンドオーバ回数が少なく、端末装置とネットワーク装置の操作の複雑さを下げることができることである。
【０１０４】
実施例５において、図７に示すように、同期信号ブロックがそれより長いタイムスロット又はミニタイムスロットの先頭で伝送され、ＰＤＣＣＨが同期信号ブロックの位置するシンボルで伝送され、同期信号ブロック帯域幅の両側の周波数領域リソースを占有する。ここで、ＰＤＣＣＨが同期信号ブロックの一側に位置してもよいし、両側に位置してもよい。同期信号ブロックを含まないタイムスロット又はミニタイムスロットにおけるＰＤＣＣＨはそれが位置する時間領域スケジューリングユニットにおける先頭のいくつかのシンボルを占有する。同期信号ブロックを含むタイムスロット又はミニタイムスロットのＰＤＣＣＨと同期信号ブロックを含まないタイムスロット又はミニタイムスロットのＰＤＣＣＨが本タイムスロット又はミニタイムスロットのＰＤＳＣＨをスケジューリングすることができ、本タイムスロット又は本ミニタイムスロットの後のＰＤＳＣＨをスケジューリングすることもでき、本タイムスロット又は本ミニタイムスロットの前のＰＤＳＣＨをスケジューリングすることもできる。各ビームの、同期信号ブロックを含むタイムスロット又はミニタイムスロットが連続的に伝送され、あるビームの、同期信号ブロックを含むタイムスロット又はミニタイムスロットと同期信号ブロックを含まないタイムスロット又はミニタイムスロットが連続的に伝送されない。
【０１０５】
ＰＤＣＣＨが本時間領域スケジューリングユニットの前の他の時間領域スケジューリングユニットにおけるＰＤＳＣＨをスケジューリングすることができ、該他の時間領域スケジューリングユニットは同期信号ブロックを含む時間領域スケジューリングユニットであってもよいし、同期信号ブロックを含まない時間領域スケジューリングユニットであってもよい。以下の方式で実現することができる。
【０１０６】
ネットワーク装置は、第一の指示情報を送信し、スケジューリングされたＰＤＳＣＨが該ＰＤＣＣＨの前の時間領域スケジューリングユニットに位置する場合がある可能性があることを端末装置に通知する。前記第一の指示情報は半静的メッセージ、例えばＲＲＣシグナリングによって伝送される。第一の指示情報は該ＰＤＣＣＨの前の時間領域スケジューリングユニットにおける、スケジューリングされたＰＤＳＣＨの位置情報を示すことに用いられる。ネットワーク装置は、スケジューリングされたＰＤＳＣＨが該ＰＤＣＣＨの前の時間領域スケジューリングユニットに位置することを示すための第二の指示情報を該ＰＤＣＣＨを介して送信する。
【０１０７】
理解すべきものとして、ネットワーク装置は端末装置へ第一の指示情報を送信することなく、プロトコルによって規定された方式を直接用いることができ、ネットワーク装置は該ＰＤＣＣＨの前の時間領域スケジューリングユニットをスケジューリングする時に、端末装置はプロトコルによって規定された該時間領域スケジューリングユニットにおけるＰＤＳＣＨにより搬送されたデータを直接送信し、端末装置がネットワーク装置から送信された該ＰＤＣＣＨを受信した場合、端末装置はキャッシュされたデータから該ＰＤＣＣＨに対応するデータを取得することを知ることができる。
【０１０８】
該実施例５はリソーススケジューリングの柔軟性をさらに向上させる。ＰＤＣＣＨが本タイムスロット又はミニタイムスロットとその後のタイムスロット又はミニタイムスロットのリソースだけでなく、前のタイムスロット又はミニタイムスロットの一部のリソースをスケジューリングすることができる。このようにして該ビームのＰＤＳＣＨ伝送リソースを拡張することができ、該ビームに新しいタイムスロット又はミニタイムスロットを割り当てる必要がない。
【０１０９】
実施例６において、図８に示すように、同期信号ブロックがそれより長いタイムスロット又はミニタイムスロットの先頭で伝送され、ＰＤＣＣＨが同期信号ブロックの位置するシンボルで伝送され、同期信号ブロック帯域幅の両側の周波数領域リソースを占有する。ここで、ＰＤＣＣＨが同期信号ブロックの一側に位置してもよいし、両側に位置してもよい。同期信号ブロックを含まないタイムスロット又はミニタイムスロットにおけるＰＤＣＣＨはそれが位置する時間領域スケジューリングユニットにおける先頭のいくつかのシンボルを占有する。同期信号ブロックを含むタイムスロット又はミニタイムスロットのＰＤＣＣＨと同期信号ブロックを含まないタイムスロット又はミニタイムスロットのＰＤＣＣＨが本タイムスロット又はミニタイムスロットのＰＤＳＣＨをスケジューリングすることができ、本タイムスロット又は本ミニタイムスロットの後のＰＤＳＣＨをスケジューリングすることもでき、本タイムスロット又は本ミニタイムスロットの前のＰＤＳＣＨをスケジューリングすることもできる。各ビームの、同期信号ブロックを含むタイムスロット又はミニタイムスロットが連続的に伝送されなく、あるビームの、同期信号ブロックを含むタイムスロット又はミニタイムスロットと同期信号ブロックを含まないタイムスロット又はミニタイムスロットが連続的に伝送される。
【０１１０】
同様に、該実施例６はリソーススケジューリングの柔軟性をさらに向上させる。ＰＤＣＣＨが本タイムスロット又はミニタイムスロットとその後のタイムスロット又はミニタイムスロットのリソースだけでなく、前のタイムスロット又はミニタイムスロットの一部のリソースをスケジューリングすることができる。このようにして該ビームのＰＤＳＣＨ伝送リソースを拡張することができ、該ビームに新しいタイムスロット又はミニタイムスロットを割り当てる必要がない。
【０１１１】
第三の構造では、同期信号ブロックは時間領域スケジューリングユニットの最後に位置する。
【０１１２】
実施例７において、図９に示すように、同期信号ブロックがそれより長いタイムスロット又はミニタイムスロットの最後で伝送され、ＰＤＣＣＨが該タイムスロット又はミニタイムスロットの先頭で伝送され、同期信号ブロックとＰＤＣＣＨが異なるシンボルを占有する。この実施例では、まず各ビームにおける、同期信号ブロックを含むタイムスロット又はミニタイムスロットを伝送し、次に各ビームの、同期信号ブロックを含まないタイムスロット又はミニタイムスロットを伝送する。
【０１１３】
理解すべきものとして、同期信号ブロックを含む時間領域スケジューリングユニットと同期信号ブロックを含まない時間領域スケジューリングユニットにおけるＰＤＣＣＨの位置が同じであってもよいし、異なってもよく、本実施例は同じであることを例として説明する。そして上述した実施例のいくつかの拡張が同様に本実施例に適用し、簡潔にするために、ここで説明を省略する。
【０１１４】
該実施例７の利点は、ＰＤＣＣＨと同期信号ブロックが異なるシンボルで伝送され、ＰＤＣＣＨの周波数領域リソースが同期信号の影響を受けなく、同期信号ブロックを含むタイムスロット又はミニタイムスロットと同期信号ブロックを含まないタイムスロット又はミニタイムスロットにおいて、ＰＤＣＣＨが同じ構造を用いることができ、これによりネットワーク装置と端末装置の複雑さを簡略化し、シグナリングオーバーヘッドを節約することである。
【０１１５】
実施例８において、図１０に示すように、同期信号ブロックがそれより長いタイムスロット又はミニタイムスロットの最後で伝送され、ＰＤＣＣＨが該タイムスロット又はミニタイムスロットの先頭で伝送され、同期信号ブロックとＰＤＣＣＨが異なるシンボルを占有する。実施例７との違いは、各ビームの、同期信号ブロックを含むタイムスロット又はミニタイムスロットが連続的に伝送されなく、あるビームの、同期信号ブロックを含むタイムスロット又はミニタイムスロットと同期信号ブロックを含まないタイムスロット又はミニタイムスロットが連続的に伝送されることにある。
【０１１６】
該実施例８の利点は、ビーム間のハンドオーバ回数が少なく、そして同期信号ブロックを含むタイムスロット又はミニタイムスロットと同期信号ブロックを含まないタイムスロット又はミニタイムスロットにおいて、ＰＤＣＣＨが同じ構造を用いることができ、これによりネットワーク装置と端末装置の複雑さを簡略化し、シグナリングオーバーヘッドを節約することである。
【０１１７】
実施例９において、図１１に示すように、同期信号ブロックがそれより長いタイムスロット又はミニタイムスロットの最後で伝送され、ＰＤＣＣＨが該タイムスロット又はミニタイムスロットの先頭で伝送され、同期信号ブロックとＰＤＣＣＨが異なるシンボルを占有する。この実施例では、まず各ビームにおける、同期信号ブロックを含むタイムスロット又はミニタイムスロットを伝送し、次に各ビームの、同期信号ブロックを含まないタイムスロット又はミニタイムスロットを伝送する。同期信号ブロックを含まないタイムスロット又はミニタイムスロットのＰＤＣＣＨが本タイムスロット又はミニタイムスロットのＰＤＳＣＨをスケジューリングすることができ、本タイムスロット又は本ミニタイムスロットの後のＰＤＳＣＨをスケジューリングすることもでき、本タイムスロット又は本ミニタイムスロットの前のＰＤＳＣＨをスケジューリングすることもできる。
【０１１８】
該実施例は実施例７に対して、リソーススケジューリングの柔軟性をさらに向上させ、ＰＤＣＣＨが本タイムスロット又はミニタイムスロットとその後のタイムスロット又はミニタイムスロットのリソースだけでなく、前のタイムスロット又はミニタイムスロットの一部のリソースをスケジューリングすることができる。このようにして該ビームのＰＤＳＣＨ伝送リソースを拡張することができ、該ビームに新しいタイムスロット又はミニタイムスロットを割り当てる必要がない。
【０１１９】
実施例１０において、図１１に示すように、同期信号ブロックがそれより長いタイムスロット又はミニタイムスロットの最後で伝送され、ＰＤＣＣＨが該タイムスロット又はミニタイムスロットの先頭で伝送され、同期信号ブロックとＰＤＣＣＨが異なるシンボルを占有する。実施例９との違いは、各ビームの、同期信号ブロックを含むタイムスロット又はミニタイムスロットが連続的に伝送されなく、あるビームの、同期信号ブロックを含むタイムスロット又はミニタイムスロットと同期信号ブロックを含まないタイムスロット又はミニタイムスロットが連続的に伝送されることにある。同期信号ブロックを含むタイムスロット又はミニタイムスロットのＰＤＣＣＨが本タイムスロット又はミニタイムスロットのＰＤＳＣＨをスケジューリングすることができ、本タイムスロット又は本ミニタイムスロットの後のＰＤＳＣＨをスケジューリングすることもでき、本タイムスロット又は本ミニタイムスロットの前のＰＤＳＣＨをスケジューリングすることもできる。
【０１２０】
該実施例は実施例８に対して、リソーススケジューリングの柔軟性をさらに向上させ、ＰＤＣＣＨが本タイムスロット又はミニタイムスロットとその後のタイムスロット又はミニタイムスロットのリソースだけでなく、前の一つのタイムスロット又はミニタイムスロットの一部のリソースをスケジューリングすることができる。このようにして該ビームのＰＤＳＣＨ伝送リソースを拡張することができ、該ビームに新しいタイムスロット又はミニタイムスロットを割り当てる必要がない。
【０１２１】
図１３は本出願の実施例による情報伝送方法２００を示す概略ブロック図である。図１３に示すように、該方法２００はＳ２１０を含む。
【０１２２】
Ｓ２１０において、ネットワーク装置は、第一のタイムスロット又は第一のミニタイムスロットにおいて端末装置へ第一の同期信号ブロックと第一の物理ダウンリンク制御チャネルを送信し、該第一のタイムスロット又は第一のミニタイムスロットがＮ個のシンボルを含み、該第一の同期信号ブロックが該第一のタイムスロット又は第一のミニタイムスロットにおける連続するＭ個のシンボルを占有し、該第一の同期信号ブロックが同期信号とブロードキャストチャネルを含み、Ｍ、Ｎがいずれも正整数であり、且つＭ≦Ｎである。
【０１２３】
選択可能に、Ｓ２１０の前に、ネットワーク装置が、端末装置がネットワーク装置との通信接続の確立をリクエストすることを確定する場合、ネットワーク装置は端末装置へ同期信号ブロックを送信し、ネットワーク装置が端末装置へデータを送信する必要があることを確定する場合、ネットワーク装置はまず端末装置へ物理ダウンリンク制御チャネルを送信し、物理ダウンリンクデータチャネルの位置を端末装置に示し、Ｓ２１０の後、対応する位置に端末装置へ物理ダウンリンクデータチャネルを送信する。
【０１２４】
したがって、本出願の実施例による情報伝送方法では、ＮＲ高周波数帯域のカバレッジ要件を満たしながらリソース利用率を向上させ、それによって通信システムの柔軟性を向上させることができる。
【０１２５】
選択可能に、本出願の実施例では、該第一の物理ダウンリンク制御チャネルに占有されたシンボルは該第一の同期信号ブロックに占有されたシンボルと少なくとも一部重なり、該第一の物理ダウンリンク制御チャネルに占有された周波数領域リソースは該第一の同期信号ブロックに占有された周波数領域リソースと重ならない。
【０１２６】
選択可能に、本出願の実施例では、該第一の同期信号ブロックは該第一のタイムスロット又は該第一のミニタイムスロットの１番目〜Ｍ番目のシンボルを占有する。
【０１２７】
選択可能に、本出願の実施例では、該第一の物理ダウンリンク制御チャネルが該第一のタイムスロット又は該第一のミニタイムスロットの１番目〜Ｐ番目のシンボルを占有し、該第一の物理ダウンリンク制御チャネルが周波数領域において該第一の同期信号ブロック帯域幅の少なくとも一側に位置し、Ｐが正整数であり、且つＰ≦Ｍである。
【０１２８】
選択可能に、本出願の実施例では、該第一の物理ダウンリンク制御チャネルに占有されたシンボルは該第一の同期信号ブロックに占有されたシンボルと重ならない。
【０１２９】
選択可能に、本出願の実施例では、該第一の同期信号ブロックが該第一のタイムスロット又は該第一のミニタイムスロットのＮ−Ｍ＋１番目〜Ｎ番目のシンボルを占有し、該第一の物理ダウンリンク制御チャネルが該第一のタイムスロット又は該第一のミニタイムスロットの１番目〜Ｐ番目のシンボルを占有し、Ｐが正整数であり、且つＰ≦（Ｎ−Ｍ）である。
【０１３０】
選択可能に、本出願の実施例では、該方法はさらに該ネットワーク装置が該端末装置へ第二の物理ダウンリンク制御チャネルを第二のタイムスロット又は第二のミニタイムスロットにおいて送信し、該第二のタイムスロット又は該第二のミニタイムスロットが同期信号ブロックを含まなく、該第二のタイムスロット又は該第二のミニタイムスロットにおける該第二の物理ダウンリンク制御チャネルの位置が該第一のタイムスロット又は該第一のミニタイムスロットにおける該第一の物理ダウンリンク制御チャネルの位置と同じであることを含む。
【０１３１】
選択可能に、本出願の実施例では、該方法はさらに該ネットワーク装置が該端末装置へ第二の物理ダウンリンク制御チャネルを第二のタイムスロット又は第二のミニタイムスロットにおいて送信し、該第二のタイムスロット又は該第二のミニタイムスロットが同期信号ブロックを含まなく、該第二のタイムスロット又は該第二のミニタイムスロットにおける該第二の物理ダウンリンク制御チャネルの位置が該第一のタイムスロット又は該第一のミニタイムスロットにおける該第一の物理ダウンリンク制御チャネルの位置と異なることを含む。
【０１３２】
選択可能に、本出願の実施例では、該方法はさらに該ネットワーク装置が該端末装置へ第一の指示情報と第二の指示情報を送信し、該第一の指示情報が該第一のタイムスロット又は該第一のミニタイムスロットにおける該第一の物理ダウンリンク制御チャネルの位置を示すことに用いられ、該第二の指示情報が該第二のタイムスロット又は該第二のミニタイムスロットにおける該第二の物理ダウンリンク制御チャネルの位置を示すことに用いられることを含む。
【０１３３】
選択可能に、本出願の実施例では、該第一の指示情報及び／又は該第二の指示情報は物理ブロードキャストチャネル又はシステムメッセージにより搬送される。
【０１３４】
選択可能に、本出願の実施例では、該第一の物理ダウンリンク制御チャネルは、該第一のタイムスロット又は該第一のミニタイムスロットにおける物理ダウンリンクデータチャネル、該第一のタイムスロット又は第一のミニタイムスロットの後の少なくと一つのタイムスロット又はミニタイムスロットにおける物理ダウンリンクデータチャネルと該第一のタイムスロット又は第一のミニタイムスロットの前の少なくとも一つのタイムスロット又はミニタイムスロットにおける物理ダウンリンクデータチャネルのうちの少なくと一つをスケジューリングすることに用いられる。
【０１３５】
選択可能に、本出願の実施例では、該物理ダウンリンク制御チャネルにより搬送されたダウンリンク制御情報が、該第一の物理ダウンリンク制御チャネルによってスケジューリングされた物理ダウンリンクデータチャネルが該第一のタイムスロット又は該第一のミニタイムスロットの前の少なくとも一つのタイムスロット又はミニタイムスロットに位置することを示すことに用いられ、該方法はさらに該ネットワーク装置が該端末装置へ第三の指示情報を送信し、該第三の指示情報が該少なくとも一つのタイムスロット又はミニタイムスロットにおける、該第一の物理ダウンリンク制御チャネルによってスケジューリングされることができる物理ダウンリンクデータチャネルの位置を示すことに用いられることを含む。
【０１３６】
選択可能に、本出願の実施例では、該第三の指示情報は無線リソース制御（ＲＲＣ）シグナリングにより搬送される。
【０１３７】
選択可能に、本出願の実施例では、該方法はさらに該ネットワーク装置が該端末装置へ第二の同期信号ブロックと第三の物理ダウンリンク制御チャネルを送信し、該第二の同期信号ブロックが同期信号と物理ブロードキャストチャネルを含み、該第一の同期信号ブロックが該第二の同期信号ブロックと異なることを含む。
【０１３８】
選択可能に、本出願の実施例では、該第一のタイムスロット又は該第一のミニタイムスロットと該第三のタイムスロット又は該第三のミニタイムスロットは該ネットワーク装置により連続的にスケジューリングされる。
【０１３９】
理解すべきものとして、ネットワーク装置で説明されるネットワーク装置と端末装置のインタラクション及び関連特性、機能などが端末装置の関連特性、機能に対応する。即ち、端末装置はネットワーク装置へどのような情報を送信し、それに応じてネットワーク装置はどのような情報を受信する。簡潔にするために、ここでは説明を省略する。
【０１４０】
また、本出願の様々な実施例では、上記各プロセスの番号の大きさが実行順序を意味せず、各プロセスの実行順序はその機能と内部論理で確定されるべきであり、本出願の実施例の実施プロセスのいかなる限定を構成すべきではないと理解すべきである。
【０１４１】
図１４は本出願の実施例による情報を伝送するための端末装置３００を示す概略ブロック図である。図１４に示すように、該端末装置３００は以下を備える。
【０１４２】
受信ユニット３１０は、ネットワーク装置から送信された第一の同期信号ブロックと第一の物理ダウンリンク制御チャネルを第一のタイムスロット又は第一のミニタイムスロットにおいて受信するように構成され、該第一のタイムスロット又は第一のミニタイムスロットがＮ個のシンボルを含み、該第一の同期信号ブロックが該第一のタイムスロット又は該第一のミニタイムスロットにおける連続するＭ個のシンボルを占有し、該第一の同期信号ブロックが同期信号と物理ブロードキャストチャネルを含み、Ｍ、Ｎがいずれも正整数であり、且つＭ≦Ｎである。
【０１４３】
したがって、本出願の実施例による情報を伝送する端末装置は、ＮＲ高周波数帯域マルチビーム伝送要件を満たすとともに、同期信号、ブロードキャストチャネルとダウンリンク制御チャネルの効率的な多重化を実現し、制御シグナリングオーバーヘッドと端末の複雑さを低減させ、リソース利用率と通信システムの柔軟性を向上させることができる。
【０１４４】
選択可能に、本出願の実施例では、該第一の物理ダウンリンク制御チャネルに占有されたシンボルは該第一の同期信号ブロックに占有されたシンボルと少なくとも一部重なり、該第一の物理ダウンリンク制御チャネルに占有された周波数領域リソースは該第一の同期信号ブロックに占有された周波数領域リソースと重ならない。
【０１４５】
選択可能に、本出願の実施例では、該第一の同期信号ブロックは該第一のタイムスロット又は該第一のミニタイムスロットの１番目〜Ｍ番目のシンボルを占有する。
【０１４６】
選択可能に、本出願の実施例では、該第一の物理ダウンリンク制御チャネルが該第一のタイムスロット又は該第一のミニタイムスロットの１番目〜Ｐ番目のシンボルを占有し、該第一の物理ダウンリンク制御チャネルが周波数領域において該第一の同期信号ブロック帯域幅の少なくとも一側に位置し、Ｐが正整数であり、且つＰ≦Ｍである。
【０１４７】
選択可能に、本出願の実施例では、該第一の物理ダウンリンク制御チャネルに占有されたシンボルは該第一の同期信号ブロックに占有されたシンボルと重ならない。
【０１４８】
選択可能に、本出願の実施例では、該第一の同期信号ブロックが該第一のタイムスロット又は該第一のミニタイムスロットのＮ−Ｍ＋１番目〜Ｎ番目のシンボルを占有し、該第一の物理ダウンリンク制御チャネルが該第一のタイムスロット又は該第一のミニタイムスロットの１番目〜Ｐ番目のシンボルを占有し、Ｐが正整数であり、且つＰ≦（Ｎ−Ｍ）である。
【０１４９】
選択可能に、本出願の実施例では、該受信ユニット３１０はさらに該ネットワーク装置から送信された第二の物理ダウンリンク制御チャネルを第二のタイムスロット又は第二のミニタイムスロットにおいて受信するように構成され、該第二のタイムスロット又は該第二のミニタイムスロットが同期信号ブロックを含まなく、該第二のタイムスロット又は該第二のミニタイムスロットにおける該第二の物理ダウンリンク制御チャネルの位置が該第一のタイムスロット又は該第一のミニタイムスロットにおける該第一の物理ダウンリンク制御チャネルの位置と同じである。
【０１５０】
選択可能に、本出願の実施例では、該受信ユニット３１０はさらにネットワーク装置から送信された第二の物理ダウンリンク制御チャネルを第二のタイムスロット又は第二のミニタイムスロットにおいて受信するように構成され、該第二のタイムスロット又は該第二のミニタイムスロットが同期信号ブロックを含まなく、該第二のタイムスロット又は該第二のミニタイムスロットにおける該第二の物理ダウンリンク制御チャネルの位置が該第一のタイムスロット又は該第一のミニタイムスロットにおける該第一の物理ダウンリンク制御チャネルの位置と異なる。
【０１５１】
選択可能に、本出願の実施例では、該受信ユニット３１０はさらに第一の指示情報と第二の指示情報を受信するように構成され、該第一の指示情報が該第一のタイムスロット又は該第一のミニタイムスロットにおける該第一の物理ダウンリンク制御チャネルの位置を示すことに用いられ、該第二の指示情報が該第二のタイムスロット又は該第二のミニタイムスロットにおける該第二の物理ダウンリンク制御チャネルの位置を示すことに用いられ、該端末装置３００は、さらに該第一の指示情報と第二の指示情報に基づき、該第一のタイムスロット又は該第一のミニタイムスロットにおける該第一の物理ダウンリンク制御チャネルの位置と該第二のタイムスロット又は該第二のミニタイムスロットにおける該第二の物理ダウンリンク制御チャネルの位置をそれぞれ確定するように構成される確定ユニット３２０を備える。
【０１５２】
選択可能に、本出願の実施例では、該第一の指示情報及び／又は該第二の指示情報は物理ブロードキャストチャネル又はシステムメッセージにより搬送される。
【０１５３】
選択可能に、本出願の実施例では、該第一の物理ダウンリンク制御チャネルは、該第一のタイムスロット又は該第一のミニタイムスロットにおける物理ダウンリンクデータチャネル、該第一のタイムスロット又は第一のミニタイムスロットの後の少なくと一つのタイムスロット又はミニタイムスロットにおける物理ダウンリンクデータチャネルと該第一のタイムスロット又は第一のミニタイムスロットの前の少なくとも一つのタイムスロット又はミニタイムスロットにおける物理ダウンリンクデータチャネルのうちの少なくと一つをスケジューリングすることに用いられる。
【０１５４】
選択可能に、本出願の実施例では、該第一の物理ダウンリンク制御チャネルにより搬送されたダウンリンク制御情報が、該第一の物理ダウンリンク制御チャネルによってスケジューリングされた物理ダウンリンクデータチャネルが該第一のタイムスロット又は該第一のミニタイムスロットの前の少なくとも一つのタイムスロット又はミニタイムスロットに位置することを示すことに用いられ、該受信ユニット３１０はさらに第三の指示情報を受信するように構成され、該第三の指示情報が該少なくとも一つのタイムスロット又はミニタイムスロットにおける、該第一の物理ダウンリンク制御チャネルによってスケジューリングされることができる物理ダウンリンクデータチャネルの位置を示すことに用いられ、該端末装置３００はさらに該指示情報に基づき、該少なくとも一つのタイムスロット又はミニタイムスロットにおける該第一の物理ダウンリンク制御チャネルによってスケジューリングされることができる物理ダウンリンクデータチャネルにより搬送されたデータをキャッシュするように構成されるキャッシュユニット３３０と、該第一の物理ダウンリンク制御チャネルに基づき、該端末装置によってキャッシュされた該少なくとも一つのタイムスロット又はミニタイムスロットにおける該第一の物理ダウンリンク制御チャネルによってスケジューリングされることができる物理ダウンリンクデータチャネルにより搬送されたデータから該第一の物理ダウンリンク制御チャネルに対応するデータを取得するように構成される取得ユニット３４０とを備える。
【０１５５】
選択可能に、本出願の実施例では、該第三の指示情報は無線リソース制御（ＲＲＣ）シグナリングにより搬送される。
【０１５６】
選択可能に、本出願の実施例では、該受信ユニット３１０はさらに該ネットワーク装置から送信された第二の同期信号ブロックと第三の物理ダウンリンク制御チャネルを第三のタイムスロット又は第三のミニタイムスロットにおいて受信するように構成され、該第二の同期信号ブロックが同期信号と物理ブロードキャストチャネルを含み、該第一の同期信号ブロックが該第二の同期信号ブロックと異なる。
【０１５７】
選択可能に、本出願の実施例では、該第一のタイムスロット又は該第一のミニタイムスロットと該第三のタイムスロット又は該第三のミニタイムスロットは該ネットワーク装置により連続的にスケジューリングされる。
【０１５８】
理解すべきものとして、本出願の実施例による情報を伝送するための端末装置３００は本出願の実施例における端末装置に対応してもよく、且つ端末装置３００の各ユニットの上記と他の操作及び／又は機能はそれぞれ図２−図１２の各方法における端末装置の対応するプロセスを実現するためのものであり、簡潔するために、ここでは説明を省略する。
【０１５９】
図１５本出願の実施例による情報を伝送するためのネットワーク装置４００を示す概略ブロック図である。図１５に示すように、該ネットワーク装置４００は以下を備える。
【０１６０】
受信ユニット４１０は、第一のタイムスロット又は第一のミニタイムスロットにおいて端末装置へ第一の同期信号ブロックと第一の物理ダウンリンク制御チャネルを送信するように構成され、該第一のタイムスロット又は第一のミニタイムスロットがＮ個のシンボルを含み、該第一の同期信号ブロックが該第一のタイムスロット又は第一のミニタイムスロットにおける連続するＭ個のシンボルを占有し、該第一の同期信号ブロックが同期信号とブロードキャストチャネルを含み、Ｍ、Ｎがいずれも正整数であり、且つＭ≦Ｎである。
【０１６１】
したがって、本出願の実施例による情報を伝送するネットワーク装置は、ＮＲ高周波数帯域マルチビーム伝送要件を満たすとともに、同期信号、ブロードキャストチャネルとダウンリンク制御チャネルの効率的な多重化を実現し、制御シグナリングオーバーヘッドと端末の複雑さを低減させ、リソース利用率と通信システムの柔軟性を向上させることができる。
【０１６２】
選択可能に、本出願の実施例では、該第一の物理ダウンリンク制御チャネルに占有されたシンボルは該第一の同期信号ブロックに占有されたシンボルと少なくとも一部重なり、該第一の物理ダウンリンク制御チャネルに占有された周波数領域リソースは該第一の同期信号ブロックに占有された周波数領域リソースと重ならない。
【０１６３】
選択可能に、本出願の実施例では、該第一の同期信号ブロックは該第一のタイムスロット又は該第一のミニタイムスロットの１番目〜Ｍ番目のシンボルを占有する。
【０１６４】
選択可能に、本出願の実施例では、該第一の物理ダウンリンク制御チャネルが該第一のタイムスロット又は該第一のミニタイムスロットの１番目〜Ｐ番目のシンボルを占有し、該第一の物理ダウンリンク制御チャネルが周波数領域において該第一の同期信号ブロック帯域幅の少なくとも一側に位置し、Ｐが正整数であり、且つＰ≦Ｍである。
【０１６５】
選択可能に、本出願の実施例では、該第一の物理ダウンリンク制御チャネルに占有されたシンボルは該第一の同期信号ブロックに占有されたシンボルと重ならない。
【０１６６】
選択可能に、本出願の実施例では、該第一の同期信号ブロックが該第一のタイムスロット又は該第一のミニタイムスロットのＮ−Ｍ＋１番目〜Ｎ番目のシンボルを占有し、該第一の物理ダウンリンク制御チャネルが該第一のタイムスロット又は該第一のミニタイムスロットの１番目〜Ｐ番目のシンボルを占有し、Ｐが正整数であり、且つＰ≦（Ｎ−Ｍ）である。
【０１６７】
選択可能に、本出願の実施例では、該送信ユニット４１０はさらに第二のタイムスロット又は第二のミニタイムスロットにおいて該端末装置へ第二の物理ダウンリンク制御チャネルを送信するように構成され、該第二のタイムスロット又は該第二のミニタイムスロットが同期信号ブロックを含まなく、該第二のタイムスロット又は該第二のミニタイムスロットにおける該第二の物理ダウンリンク制御チャネルの位置が該第一のタイムスロット又は該第一のミニタイムスロットにおける該第一の物理ダウンリンク制御チャネルの位置と同じである。
【０１６８】
選択可能に、本出願の実施例では、該送信ユニット４１０はさらに第二のタイムスロット又は第二のミニタイムスロットにおいて該端末装置へ第二の物理ダウンリンク制御チャネルを送信するように構成され、該第二のタイムスロット又は該第二のミニタイムスロットが同期信号ブロックを含まなく、該第二のタイムスロット又は該第二のミニタイムスロットにおける該第二の物理ダウンリンク制御チャネルの位置が該第一のタイムスロット又は該第一のミニタイムスロットにおける該第一の物理ダウンリンク制御チャネルの位置と異なる。
【０１６９】
選択可能に、本出願の実施例では、該送信ユニット４１０はさらに該端末装置へ第一の指示情報と第二の指示情報を送信するように構成され、該第一の指示情報が該第一のタイムスロット又は該第一のミニタイムスロットにおける該第一の物理ダウンリンク制御チャネルの位置を示すことに用いられ、該第二の指示情報が該第二のタイムスロット又は該第二のミニタイムスロットにおける該第二の物理ダウンリンク制御チャネルの位置を示すことに用いられる。
【０１７０】
選択可能に、本出願の実施例では、該第一の指示情報及び／又は該第二の指示情報は物理ブロードキャストチャネル又はシステムメッセージにより搬送される。
【０１７１】
選択可能に、本出願の実施例では、該第一の物理ダウンリンク制御チャネルは、該第一のタイムスロット又は該第一のミニタイムスロットにおける物理ダウンリンクデータチャネル、該第一のタイムスロット又は第一のミニタイムスロットの後の少なくと一つのタイムスロット又はミニタイムスロットにおける物理ダウンリンクデータチャネルと該第一のタイムスロット又は第一のミニタイムスロットの前の少なくとも一つのタイムスロット又はミニタイムスロットにおける物理ダウンリンクデータチャネルのうちの少なくと一つをスケジューリングすることに用いられる。
【０１７２】
選択可能に、本出願の実施例では、該物理ダウンリンク制御チャネルにより搬送されたダウンリンク制御情報が、該第一の物理ダウンリンク制御チャネルによってスケジューリングされた物理ダウンリンクデータチャネルが該第一のタイムスロット又は該第一のミニタイムスロットの前の少なくとも一つのタイムスロット又はミニタイムスロットに位置することを示すことに用いられ、該送信ユニット４１０はさらに該端末装置へ第三の指示情報を送信するように構成され、該第三の指示情報が該少なくとも一つのタイムスロット又はミニタイムスロットにおける、該第一の物理ダウンリンク制御チャネルによってスケジューリングされることができる物理ダウンリンクデータチャネルの位置を示すことに用いられる。
【０１７３】
選択可能に、本出願の実施例では、該第三の指示情報は無線リソース制御（ＲＲＣ）シグナリングにより搬送される。
【０１７４】
選択可能に、本出願の実施例では、該送信ユニット４１０はさらに第三のタイムスロット又は第三のミニタイムスロットにおいて該端末装置へ第二の同期信号ブロックと第三の物理ダウンリンク制御チャネルを送信するように構成され、該第二の同期信号ブロックが同期信号と物理ブロードキャストチャネルを含み、該第一の同期信号ブロックが該第二の同期信号ブロックと異なる。
【０１７５】
選択可能に、本出願の実施例では、該第一のタイムスロット又は該第一のミニタイムスロットと該第三のタイムスロット又は該第三のミニタイムスロットは該ネットワーク装置により連続的にスケジューリングされる。
【０１７６】
理解すべきものとして、本出願の実施例による情報を伝送するネットワーク装置４００は本出願の実施例におけるネットワーク装置に対応してもよく、且つネットワーク装置４００の各ユニットの上記と他の操作及び／又は機能はそれぞれ図３−図１３の各方法におけるネットワーク装置の対応するプロセスを実現するためのものであり、簡潔するために、ここでは説明を省略する。
【０１７７】
図１６に示すように、本出願の実施例はさらに図２の方法１００に対応する端末装置のコンテンツを実行することに用いられてもよい図１４の端末装置３００とすることができる、情報を伝送する端末装置５００を提供する。該端末装置５００は、入力インタフェース５１０、出力インタフェース５２０、プロセッサ５３０及びメモリ５４０を備え、該入力インタフェース５１０、出力インタフェース５２０、プロセッサ５３０とメモリ５４０がバスシステムを介して接続されてもよい。前記メモリ５４０はプログラム、命令又はコードを記憶するように構成される。前記プロセッサ５３０は信号を受信するように入力インタフェース５１０を制御し、信号を送信するように出力インタフェース５２０を制御し、前記方法の実施例における操作を完了するために、前記メモリ５４０におけるプログラム、命令又はコードを実行するように構成される。
【０１７８】
したがって、本出願の実施例による情報を伝送する端末装置は、ＮＲ高周波数帯域マルチビーム伝送要件を満たすとともに、同期信号、ブロードキャストチャネルとダウンリンク制御チャネルの効率的な多重化を実現し、制御シグナリングオーバーヘッドと端末の複雑さを低減させ、リソース利用率と通信システムの柔軟性を向上させることができる。
【０１７９】
理解すべきものとして、本発明の実施例では、該プロセッサ５３０は中央処理ユニット（ＣＰＵ：Ｃｅｎｔｒａｌ  Ｐｒｏｃｅｓｓｉｎｇ  Ｕｎｉｔ）であってもよく、該プロセッサ５３０はさらに他の汎用プロセッサ、デジタル信号プロセッサ、専用集積回路、フィールドプログラマブルゲートアレイ又は他のプログラマブルロジックデバイス、ディスクリートゲート又はトランジスタロジックデバイス、ディスクリートハードウェアコンポーネントなどであってもよい。汎用プロセッサはマイクロプロセッサであってもよく、又は該プロセッサはいずれかの従来のプロセッサなどであってもよい。
【０１８０】
該メモリ５４０は読み取り専用メモリとランダムアクセスメモリを含み、そしてプロセッサ５３０へ命令とデータを提供することができる。メモリ５４０の一部は不揮発性ランダムアクセスメモリを含むことができる。例えば、メモリ５４０は装置タイプの情報を記憶することもできる。
【０１８１】
実施プロセスでは、上記方法の各内容は、プロセッサ５３０におけるハードウェアの集積論理回路又はソフトウェアの形の命令によって完了されてもよい。本出願の実施例と組み合わせて開示された方法の内容はハードウェアプロセッサによって実行されて完了され、又はプロセッサにおけるハードウェア及びソフトウェアモジュールの組み合わせによって実行されて完了されるように直接具現化されてもよい。ソフトウェアモジュールはランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒体はメモリ５４０に位置し、プロセッサ５３０はメモリ５４０における情報を読み取り、そのハードウェアと組み合わせて上記方法の内容を完了する。繰り返しを回避するために、ここで詳細な説明を省略する。
【０１８２】
一つの具体的な実施形態では、端末装置３００における受信ユニット３１０は図１６における入力インタフェース５１０で実現されてもよく、端末装置３００における確定ユニット３２０、キャッシュユニット３３０と取得ユニット３４０は、図１６におけるプロセッサ５３０で実現されてもよい。
【０１８３】
図１７に示すように、本出願の実施例はさらに図１３の方法２００に対応するネットワーク装置のコンテンツを実行することに用いられてもよい図１５のネットワーク装置４００とすることができる、情報を伝送するネットワーク６００を提供する。該ネットワーク装置６００は、入力インタフェース６１０、出力インタフェース６２０、プロセッサ６３０及びメモリ６４０を備え、該入力インタフェース６１０、出力インタフェース６２０、プロセッサ６３０とメモリ６４０がバスシステムを介して接続されてもよい。前記メモリ６４０はプログラム、命令又はコードを記憶するように構成される。前記プロセッサ６３０は信号を受信するように入力インタフェース６１０を制御し、信号を送信するように出力インタフェース６２０を制御し、前記方法の実施例における操作を完了するために、前記メモリ６４０におけるプログラム、命令又はコードを実行するように構成される。
【０１８４】
したがって、本出願の実施例による情報を伝送するネットワーク装置は、ＮＲ高周波数帯域のカバレッジ要件を満たしながらリソース利用率を向上させ、それによって通信システムの柔軟性を向上させることができる。
【０１８５】
理解すべきものとして、本発明の実施例では、該プロセッサ６３０は中央処理ユニット（ＣＰＵ：Ｃｅｎｔｒａｌ  Ｐｒｏｃｅｓｓｉｎｇ  Ｕｎｉｔ）であってもよく、該プロセッサ６３０はさらに他の汎用プロセッサ、デジタル信号プロセッサ、専用集積回路、フィールドプログラマブルゲートアレイ又は他のプログラマブルロジックデバイス、ディスクリートゲート又はトランジスタロジックデバイス、ディスクリートハードウェアコンポーネントなどであってもよい。汎用プロセッサはマイクロプロセッサであってもよく、又は該プロセッサはいずれかの従来のプロセッサなどであってもよい。
【０１８６】
該メモリ６４０は読み取り専用メモリとランダムアクセスメモリを含み、そしてプロセッサ６３０へ命令とデータを提供することができる。メモリ６４０の一部は不揮発性ランダムアクセスメモリを含むことができる。例えば、メモリ６４０は装置タイプの情報を記憶することもできる。
【０１８７】
実施プロセスでは、上記方法の各内容は、プロセッサ６３０におけるハードウェアの集積論理回路又はソフトウェアの形の命令によって完了されてもよい。本出願の実施例と組み合わせて開示された方法の内容はハードウェアプロセッサによって実行されて完了され、又はプロセッサにおけるハードウェア及びソフトウェアモジュールの組み合わせによって実行されて完了されるように直接具現化されてもよい。ソフトウェアモジュールはランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒体はメモリ６４０に位置し、プロセッサ６３０はメモリ６４０における情報を読み取り、そのハードウェアと組み合わせて上記方法の内容を完了する。繰り返しを回避するために、ここで詳細な説明を省略する。
【０１８８】
一つの具体的な実施形態では、送信ユニット４１０は図１７における出力インタフェース６２０で実現されてもよい。
【０１８９】
当業者であれば、本明細書で開示された実施例と組み合わせて説明された各例のユニット及びアルゴリズムステップは、電子ハードウェア、又はコンピュータソフトウェアと電子ハードウェアの組み合わせで実現されてもよいと理解できる。これらの機能がハードウエア又はソフトウエアで実行されるかは、技術的解決策の特定応用と設計制約条件に依存する。当業者は各特定の応用に対して異なる方法を用いて記述される機能を実現することが可能であるが、このような実現は本出願の範囲を超えると考えられるべきではない。
【０１９０】
当業者は、便利及び簡潔に説明するために、上記のシステム、装置及びユニットの具体的な動作プロセスについて、前記方法の実施例における対応するプロセスを参照できるため、ここでは説明を省略することを明確に理解することができる。
【０１９１】
本出願が提供する、いくつかの実施例では、開示されたシステム、装置及び方法は、他の方式により実現されてもよいと理解すべきである。例えば、上記の装置の実施例は例示的なものだけであり、例えば、該ユニットの区分は、論理機能的区分だけであり、実際に実施する時に他の区分モードもあり得て、例えば複数のユニット又は構成要素は組合わせられてもよく又は別のシステムに統合されてもよく、又はいくつかの特徴は無視されてもよく、又は実行されなくてもよい。また、示される又は議論される相互結合又は直接結合又は通信接続はいくつかのインターフェース、装置又は機能モジュールを介する間接的結合又は通信接続であってもよく、電気的、機械的又は他の形態であってもよい。
【０１９２】
分離部材として説明された該ユニットは物理的に分離するものであってもよく又は物理的に分離するものでなくてもよく、ユニットとして表示された部材は物理ユニットであってもよく又は物理ユニットでなくてもよく、即ち一つの箇所に位置してもよく、又は複数のネットワークユニットに分布してもよい。実際のニーズに応じてそのうちの一部又は全てのユニットを選択して本実施例の技術的解決策の目的を達成することができる。
【０１９３】
また、本出願の各実施例における各機能ユニットは一つの処理ユニットに統合されてもよく、個々のユニットは単独で物理的に存在してもよく、２つ又は２つ以上のユニットは１つのユニットに統合されてもよい。
【０１９４】
該機能はソフトウェア機能ユニットの形態で実現され且つ独立した製品として販売又は使用される時に、一つのコンピュータ読み取り可能な記憶媒体に格納されてもよい。このような理解に基づき、本出願の技術的解決策は本質的に又は従来技術に寄与する部分又は該技術的解決策の部分がソフトウェア製品の形で実現されてもよく、該コンピュータソフトウェア製品がコンピュータ装置（パーソナルコンピュータ、サーバ、又はネットワークデバイス等であってもよい）に本出願の様々な実施例における該方法の全て又は一部のステップを実行させるためのいくつかの命令を含む、記憶媒体に記憶される。前記憶媒体はＵディスク、モバイルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる各種の媒体を含む。
【０１９５】
以上は、本出願の実施例の具体的な実施形態だけであるが、本出願の保護範囲はこれに制限されず、当業者が本出願で開示された技術範囲内で容易に想到し得る変化又は入れ替わりが全て本出願の保護範囲以内に含まれるべきである。従って、本出願の保護範囲は請求項の保護範囲に準拠するべきである。
【図１】
2020515178.tif 000004
【図２】
2020515178.tif 000005
【図３】
2020515178.tif 000006
【図４】
2020515178.tif 000007
【図５】
2020515178.tif 000008
【図６】
2020515178.tif 000009
【図７】
2020515178.tif 000010
【図８】
2020515178.tif 000011
【図９】
2020515178.tif 000012
【図１０】
2020515178.tif 000013
【図１１】
2020515178.tif 000014
【図１２】
2020515178.tif 000015
【図１３】
2020515178.tif 000016
【図１４】
2020515178.tif 000017
【図１５】
2020515178.tif 000018
【図１６】
2020515178.tif 000019
【図１７】
2020515178.tif 000020
【手続補正書】
【提出日】令和2年3月5日(2020.3.5)
【手続補正１】
【補正対象書類名】特許請求の範囲
【補正対象項目名】全文
【補正方法】変更
【補正の内容】
【特許請求の範囲】
【請求項１】
情報伝送方法であって、
端末装置は、ネットワーク装置から送信された第一の同期信号ブロックと第一の物理ダウンリンク制御チャネルを第一のタイムスロット又は第一のミニタイムスロットにおいて受信することを含み、前記第一のタイムスロット又は第一のミニタイムスロットがＮ個のシンボルを含み、前記第一の同期信号ブロックが前記第一のタイムスロット又は前記第一のミニタイムスロットにおける連続するＭ個のシンボルを占有し、前記第一の同期信号ブロックが同期信号と物理ブロードキャストチャネルを含み、Ｍ、Ｎがいずれも正整数であり、且つＭ≦Ｎである、前記情報伝送方法。
【請求項２】
前記第一の物理ダウンリンク制御チャネルに占有されたシンボルは前記第一の同期信号ブロックに占有されたシンボルと少なくとも一部重なり、前記第一の物理ダウンリンク制御チャネルに占有された周波数領域リソースは前記第一の同期信号ブロックに占有された周波数領域リソースと重ならないことを特徴とする
請求項１に記載の方法。
【請求項３】
前記第一の物理ダウンリンク制御チャネルに占有されたシンボルは、前記第一の同期信号ブロックに占有されたシンボルと重ならないことを特徴とする
請求項１に記載の方法。
【請求項４】
前記第一の同期信号ブロックは、前記第一のタイムスロット又は前記第一のミニタイムスロットのＮ−Ｍ＋１番目〜Ｎ番目のシンボルを占有し、前記第一の物理ダウンリンク制御チャネルは、前記第一のタイムスロット又は前記第一のミニタイムスロットの１番目〜Ｐ番目のシンボルを占有し、Ｐが正整数であり、且つＰ≦（Ｎ−Ｍ）であることを特徴とする
請求項３に記載の方法。
【請求項５】
前記方法はさらに、
前記端末装置は、前記ネットワーク装置から送信された第二の物理ダウンリンク制御チャネルを第二のタイムスロット又は第二のミニタイムスロットにおいて受信することを含み、前記第二のタイムスロット又は前記第二のミニタイムスロットが同期信号ブロックを含まなく、前記第二のタイムスロット又は前記第二のミニタイムスロットにおける前記第二の物理ダウンリンク制御チャネルの位置が前記第一のタイムスロット又は前記第一のミニタイムスロットにおける前記第一の物理ダウンリンク制御チャネルの位置と同じであることを特徴とする
請求項１−４のいずれか一項に記載の方法。
【請求項６】
前記方法はさらに、
前記端末装置は、前記ネットワーク装置から送信された第二の物理ダウンリンク制御チャネルを第二のタイムスロット又は第二のミニタイムスロットにおいて受信することを含み、前記第二のタイムスロット又は前記第二のミニタイムスロットが同期信号ブロックを含まなく、前記第二のタイムスロット又は前記第二のミニタイムスロットにおける前記第二の物理ダウンリンク制御チャネルの位置が前記第一のタイムスロット又は前記第一のミニタイムスロットにおける前記第一の物理ダウンリンク制御チャネルの位置と異なることを含むことを特徴とする
請求項１−４のいずれか一項に記載の方法。
【請求項７】
前記方法はさらに、
前記端末装置は第一の指示情報と第二の指示情報を受信し、前記第一の指示情報が前記第一のタイムスロット又は前記第一のミニタイムスロットにおける前記第一の物理ダウンリンク制御チャネルの位置を示すことに用いられ、前記第二の指示情報が前記第二のタイムスロット又は前記第二のミニタイムスロットにおける前記第二の物理ダウンリンク制御チャネルの位置を示すことに用いられることと、
前記端末装置は、前記第一の指示情報と第二の指示情報に基づき、前記第一のタイムスロット又は前記第一のミニタイムスロットにおける前記第一の物理ダウンリンク制御チャネルの位置と前記第二のタイムスロット又は前記第二のミニタイムスロットにおける前記第二の物理ダウンリンク制御チャネルの位置とをそれぞれ確定することとを含むことを特徴とする
請求項６に記載の方法。
【請求項８】
前記第一の指示情報及び／又は前記第二の指示情報は物理ブロードキャストチャネル又はシステムメッセージにより搬送されることを特徴とする
請求項７に記載の方法。
【請求項９】
前記第一の物理ダウンリンク制御チャネルは、前記第一のタイムスロット又は前記第一のミニタイムスロットにおける物理ダウンリンクデータチャネル、前記第一のタイムスロット又は前記第一のミニタイムスロットの後の少なくとも一つのタイムスロット又はミニタイムスロットにおける物理ダウンリンクデータチャネル、及び前記第一のタイムスロット又は前記第一のミニタイムスロットの前の少なくとも一つのタイムスロット又はミニタイムスロットにおける物理ダウンリンクデータチャネルのうちの少なくとも一つをスケジューリングすることに用いられることを特徴とする
請求項１−８のいずれか一項に記載の方法。
【請求項１０】
情報伝送方法であって、
ネットワーク装置は、第一のタイムスロット又は第一のミニタイムスロットにおいて端末装置へ第一の同期信号ブロックと第一の物理ダウンリンク制御チャネルを送信し、前記第一のタイムスロット又は第一のミニタイムスロットがＮ個のシンボルを含み、前記第一の同期信号ブロックが前記第一のタイムスロット又は第一のミニタイムスロットにおける連続するＭ個のシンボルを占有し、前記第一の同期信号ブロックが同期信号とブロードキャストチャネルを含み、Ｍ、Ｎがいずれも正整数であり、且つＭ≦Ｎであることを含む、前記情報伝送方法。
【請求項１１】
前記第一の物理ダウンリンク制御チャネルに占有されたシンボルは前記第一の同期信号ブロックに占有されたシンボルと少なくとも一部重なり、前記第一の物理ダウンリンク制御チャネルに占有された周波数領域リソースは前記第一の同期信号ブロックに占有された周波数領域リソースと重ならないことを特徴とする
請求項１０に記載の方法。
【請求項１２】
前記第一の物理ダウンリンク制御チャネルに占有されたシンボルは、前記第一の同期信号ブロックに占有されたシンボルと重ならないことを特徴とする
請求項１０に記載の方法。
【請求項１３】
前記方法はさらに、
前記ネットワーク装置は、第二のタイムスロット又は第二のミニタイムスロットにおいて前記端末装置へ第二の物理ダウンリンク制御チャネルを送信し、前記第二のタイムスロット又は前記第二のミニタイムスロットが同期信号ブロックを含まなく、前記第二のタイムスロット又は前記第二のミニタイムスロットにおける前記第二の物理ダウンリンク制御チャネルの位置が前記第一のタイムスロット又は前記第一のミニタイムスロットにおける前記第一の物理ダウンリンク制御チャネルの位置と同じであることを含むことを特徴とする
請求項１０−１２のいずれか一項に記載の方法。
【請求項１４】
情報を伝送するための端末装置であって、
請求項１〜９のいずれか１項に記載の情報伝送方法を実行するように構成される、
前記端末装置。
【請求項１５】
情報を伝送するためのネットワーク装置であって、
請求項１０〜１３のいずれか１項に記載の情報伝送方法を実行するように構成される、
前記ネットワーク装置。
【国際調査報告】
2020515178.tif 000021
2020515178.tif 000022
2020515178.tif 000023
2020515178.tif 000024